(57)【特許請求の範囲】
【請求項１】
不正開封防止容器（１）であって、
・内容積部（３）を画定するとともに製品を収容するように構成されるシート材料から形成される少なくとも１つのストア（２）であって、前記ストア（２）が自由縁（６）により境界付けられる少なくとも１つの通過開口（５）を画定する所定数の側壁（４）を有し、前記通過開口（５）が前記ストア（２）の前記内容積部（３）を外部環境と連通させて配置するように構成される、少なくとも１つのストア（２）と、
・自由縁（６）で係合されて前記ストア（２）に対して回転により移動できる同様にシート材料から形成される少なくとも１つの閉鎖システム（７）であって、前記閉鎖システム（７）は、システムそれ自体が前記ストア（２）の前記内容積部（３）と外部環境との間の連通を阻止する少なくとも１つの閉状態を規定するように構成され、前記閉鎖システム（７）は、システムそれ自体が前記内容積部（３）と外部環境との間の連通を可能にする開状態を規定するように更に構成され、前記閉鎖システム（７）が、前記ストア（２）の前記自由縁（６）に係合されるとともに前記自由縁（６）に対して回転により移動できる閉鎖部（９）を有する少なくとも１つのタブ（８）を備え、前記タブ（８）が、前記閉鎖システム（７）の前記閉状態で前記ストア（２）の前記内容積部（３）の内側に挿入されるように構成される少なくとも１つの挿入部（１０）を更に有し、前記閉鎖システム（７）が、前記タブ（８）に隣接して前記ストア（２）の前記自由縁（６）に係合される少なくとも１つの当接部（１１）を更に備え、前記当接部（１１）が、前記閉状態で、前記内容積部（３）と前記タブ（８）との間に介挿されるように構成される、少なくとも１つの閉鎖システム（７）と、
・シート材料の少なくとも１つの安全装置（１２）であって、
前記閉鎖システム（７）の前記タブ（８）及び／又は前記当接部（１１）によってもたらされる少なくとも１つの第１の結合部（１３）と、
前記ストア（２）と係合されるとともに前記第１の結合部（１３）と協働するように構成される少なくとも１つの第２の結合部（１４）と
を有し、
前記第１及び第２の結合部（１３，１４）が、前記閉鎖システム（７）の最初の前記閉状態中に互いに安定して係合するように構成され、前記第１及び／又は第２の結合部（１３，１４）が、当該不正開封防止容器（１）の不正開封の形跡を与えるために前記最初の閉状態後における前記閉鎖システム（７）の最初の前記開状態後に前記安全装置（１２）から分離するように構成される少なくとも１つの除去可能部（１５）を有し、
前記第２の結合部（１４）が、前記システム（７）の前記閉状態において、前記ストア（２）の内部に配置されるとともに、前記ストア（２）の側壁（４）のうちの１つと平行な平面内にほぼ位置し、前記第１の結合部（１３）が、前記第２の結合部（１４）と安定して係合するために前記ストア（２）の前記内容積部（３）内に少なくとも部分的に挿入するように構成される、安全装置（１２）と
を備え、
前記第１及び第２の結合部（１３，１４）のうちの少なくとも一方が、少なくとも１つのアンダーカット部（１６）を有する除去可能部（１５）を有し、前記第１及び第２の結合部（１３，１４）のうちの他方が、当該不正開封防止容器（１）の最初の前記閉状態で前記アンダーカット部（１６）と係合するように構成されており、
前記除去可能部（１５）の前記アンダーカット部（１６）が、当該不正開封防止容器（１）の最初の前記閉状態で前記ストア（２）の前記自由縁（６）とは別個で且つ前記自由縁（６）から距離が隔てられる把持縁（１７）によって境界付けられ、前記アンダーカット部（１６）は、前記ストア（２）の完全に内側にあり、前記通過開口（５）から距離が隔てられている、不正開封防止容器（１）。
【請求項２】
前記除去可能部（１５）の前記アンダーカット部（１６）が座部（１９）を画定する少なくとも１つのフック（１８）を備え、前記座部の凹面が、少なくとも当該不正開封防止容器（１）の最初の前記閉状態において、前記ストア（２）の前記側壁（４）のうちの少なくとも１つの方を向く、請求項１に記載の不正開封防止容器（１）。
【請求項３】
前記除去可能部（１５）を有さない前記第１及び第２の結合部（１３，１４）の少なくとも一方が、把持縁（２１）によって境界付けられる少なくとも１つのアンダーカット部（２０）を備え、前記アンダーカット部（２０）が、前記容器（１）の最初の前記閉状態で、前記除去可能部（１５）の前記アンダーカット部（１６）と係合するように構成されている、請求項１または２に記載の不正開封防止容器（１）。
【請求項４】
前記除去可能部（１５）の前記把持縁（１７）が、当該不正開封防止容器（１）の最初の前記閉状態において、前記ストア（２）の前記自由縁（６）と前記除去可能部（１５）を有さない前記結合部の前記把持縁（２１）との間にある、請求項３に記載の不正開封防止容器（１）。
【請求項５】
前記ストア（２）が少なくとも１つの制御貫通開口（２４）を備え、前記制御開口（２４）が、前記安全装置（１２）の前記第２の結合部（１４）と平行な前記側壁（４）によってもたらされ、前記制御開口（２４）が、前記安全装置（１２）の前記除去可能部（１５）に及び前記タブ（８）の前記挿入部（１０）に配置され、
前記制御開口（２４）が、当該不正開封防止容器（１）の最初の前記開状態の前に前記除去可能部（１５）を目に見えるようにするべく構成され、前記制御開口（２４）が、当該不正開封防止容器（１）の不正開封の形跡を与えるために当該不正開封防止容器（１）の最初の前記開状態後に前記タブ（８）の前記挿入部（１０）を目に見えるようにするべく更に構成されている、請求項１〜４のいずれか一項に記載の不正開封防止容器（１）。
【請求項６】
前記制御開口（２４）から見える前記挿入部（１０）の少なくとも一部が、前記制御開口（２４）から見える前記除去可能部（１５）の少なくとも一部とは異なるとともに区別することができ、前記挿入部（１０）及び前記除去可能部（１５）の見える部分同士の間の違いが、最初の前記開状態後に当該不正開封防止容器（１）の不正開封を外側から明らかにし得る、請求項５に記載の不正開封防止容器（１）。
【請求項７】
前記第１の結合部（１３）が、前記挿入部（１０）に対して一体的に結合されるとともに、前記挿入部（１０）が、前記タブ（８）の前記第１の結合部（１３）と前記閉鎖部（９）との間にあり、前記第２の結合部（１４）が、前記ストア（２）の少なくとも１つの前記側壁（４）に接続されるとともに、前記側壁に対して平行であり、前記第２の結合部（１４）のみが前記除去可能部（１５）をもたらす、請求項６に記載の不正開封防止容器（１）。
【請求項８】
単一の平坦なブランク（５０）から始めて折り曲げることにより実現される、請求項１〜７のいずれか一項に記載の不正開封防止容器（１）。
【請求項９】
請求項１〜８のいずれか一項に記載の容器（１）を実現するためのプロセスであって、前記プロセスが、少なくとも以下のステップ、すなわち、
シート材料から形成されるストア（２）を事前配置するステップと、
前記ストア（２）の自由縁（６）で係合されるシート材料から形成される閉鎖システム（７）を事前配置するステップであって、前記閉鎖システム（７）が前記容器の閉状態及び開状態を規定するように構成される、ステップと、
シート材料から形成される安全装置（１２）を事前配置するステップであって、前記安全装置（１２）に第１及び第２の結合部（１３，１４）が形成され、安全装置（１２）を事前配置する前記ステップが、前記結合部（１３，１４）の少なくとも一方に、前記容器の最初の前記閉状態後における前記容器（１）の最初の前記開状態後に前記安全装置（１２）から分離するように構成される除去可能部（１５）を形成し、
安全装置（１２）を事前配置する前記ステップが、前記容器（１）の前記閉状態で前記ストア（２）の内部に配置されるとともに前記ストアの少なくとも１つの側壁と平行な第２の結合部（１４）を形成し、安全装置（１２）を事前配置する前記ステップが、前記第２の結合部（１４）に安定して係合するために前記ストア（２）の内側に少なくとも部分的に挿入するように構成される第１の結合部（１３）を更に形成する、ステップと
を備えるプロセス。
【請求項１０】
不正開封防止容器（１）であって、
・内容積部（３）を画定するとともに製品を収容するように構成されるシート材料の少なくとも１つのストア（２）であって、前記ストア（２）が自由縁（６）により境界付けられる少なくとも１つの通過開口（５）を画定する所定数の側壁（４）を有し、前記通過開口（５）が前記ストア（２）の前記内容積部（３）と外部環境とを連通させるように構
成される、少なくとも１つのストア（２）と、
・前記自由縁（６）で係合されて前記ストア（２）に対して回転により移動できる同様にシート材料の少なくとも１つの閉鎖システム（７）であって、前記閉鎖システム（７）は、該システムそれ自体が前記ストア（２）の前記内容積部（３）と外部環境との間の連通を妨げる少なくとも１つの閉状態を規定するように構成され、前記閉鎖システム（７）は、該システムそれ自体が前記内容積部（３）と外部環境との間の連通を可能にする開状態を規定するように更に構成され、
前記閉鎖システム（７）は、前記ストア（２）の前記自由縁（６）と係合されるとともに前記自由縁（６）に対して回転により移動できる閉鎖部（９）を有する少なくとも１つのタブ（８）を備え、前記タブ（８）が、前記閉鎖システム（７）の前記閉状態で前記ストア（２）の前記内容積部（３）の内側に挿入されるように構成される少なくとも１つの挿入部（１０）を更に有し、前記閉鎖システム（７）が、前記タブ（８）に隣接して前記ストア（２）の前記自由縁（６）と係合される少なくとも１つの当接部（１１）を更に備え、前記当接部（１１）が、前記閉状態で、前記内容積部（３）と前記タブ（８）との間に介挿されるように構成される、少なくとも１つの閉鎖システム（７）と、
・前記閉鎖システムの最初の閉状態後に前記ストア（２）と少なくとも部分的に安定して係合可能であるとともに前記閉鎖システム（７）と少なくとも部分的に安定して係合可能なシート材料から形成される少なくとも１つの安全装置（１２）であって、
前記安全装置（１２）が、最初の閉状態後に前記ストア（２）から及び／又は前記閉鎖システム（７）から表出する触覚的に知覚できる突起（２５）を画定するように構成される少なくとも１つの除去可能部（１５）を備え、前記除去可能部（１５）が、前記突起（２５）と共に、当該不正開封防止容器（１）の不正開封の形跡を示すために、前記最初の閉状態後における前記閉鎖システム（７）の最初の開状態後に、前記安全装置（１２）から分離されるように構成される、少なくとも１つの安全装置（１２）と
を備える、不正開封防止容器（１）。
【請求項１１】
前記安全装置（１２）が、
・前記タブ（８）によって及び／又は前記閉鎖システム（７）の前記当接部（１１）から支持される少なくとも１つの第１の結合部（１３）と、
・前記ストア（２）と係合されるとともに前記第１の結合部（１３）と協働するように構成される少なくとも１つの第２の結合部（１４）と
を備え、
前記第１及び第２の結合部（１３，１４）が、前記閉鎖システム（７）の最初の閉状態中に互いに安定して係合するように構成され、前記第１及び／又は第２の結合部（１３，１４）が、当該不正開封防止容器（１）の不正開封の形跡を与えるために前記最初の閉状態後における前記閉鎖システム（７）の最初の開状態後に前記安全装置（１２）から分離するように構成される少なくとも１つの除去可能部（１５）を有し、前記第２の結合部（１４）が、前記システム（７）の閉状態において、前記ストア（２）の内部に配置されるとともに、前記ストア（２）の前記側壁（４）のうちの１つと平行な平面内にほぼ位置し、前記第１の結合部（１３）が、前記第２の結合部（１４）と安定して係合するために前記ストア（２）の前記内容積部（３）内に少なくとも部分的に挿入するように構成されている、請求項１０に記載の不正開封防止容器。
【請求項１２】
前記第１及び第２の結合部（１３，１４）が、前記閉鎖システム（７）の最初の閉状態中に互いに安定して係合するように構成され、前記第１及び／又は第２の結合部（１３，１４）が、当該不正開封防止容器（１）の不正開封の形跡を与えるために最初の閉状態後における前記閉鎖システム（７）の最初の開状態後に前記安全装置（１２）から分離するように構成される前記突起（２５）を支持する少なくとも１つの除去可能部（１５）を有する、請求項１１に記載の不正開封防止容器。
【請求項１３】
前記第１及び第２の結合部（１３，１４）のうちの少なくとも一方が、少なくとも１つのアンダーカット部（１６）を備える除去可能部（１５）を有し、前記第１及び第２の結合部（１３，１４）のうちの少なくとも他方が、当該不正開封防止容器（１）の最初の閉状態で前記アンダーカット部（１６）と係合するように構成され、
前記除去可能部（１５）の前記アンダーカット部（１６）が、当該不正開封防止容器（１）の最初の閉状態で前記ストア（２）の前記自由縁（６）とは別個で且つ前記自由縁（６）から距離が隔てられる把持縁（１７）によって境界付けられている、請求項１１又は１２に記載の不正開封防止容器。
【請求項１４】
前記除去可能部（１５）を有さない前記第１及び第２の結合部（１３，１４）の少なくとも一方が、把持縁（２１）によって境界付けられる少なくとも１つのアンダーカット部（２０）を備え、前記アンダーカット部（２０）が、当該不正開封防止容器（１）の最初の閉状態で、前記除去可能部（１５）と係合するように構成されている、請求項１１〜１３のいずれか一項に記載の不正開封防止容器。
【請求項１５】
前記除去可能部（１５）が、該除去可能部それ自体に対して互いに反対側に配置される２つのアンダーカット部を備え、前記除去可能部（１５）を有さない前記第１及び第２の結合部（１３，１４）の少なくとも一方が、当該不正開封防止容器（１）の最初の閉状態で前記除去可能部（１５）の２つのアンダーカット部と係合するように構成される２つのそれぞれのアンダーカット部を備える、請求項１１〜１４のいずれか一項に記載の不正開封防止容器。
【請求項１６】
前記突起（２５）が、当該不正開封防止容器（１）の最初の閉状態後において当該不正開封防止容器それ自体を初めて開放するステップの前に、前記ストア（２）の前記自由縁（６）から及び／又は前記閉鎖システム（７）から前記内容積部（３）の外側に表出する、請求項１０〜１５のいずれか一項に記載の不正開封防止容器。
【請求項１７】
前記除去可能部（１５）の前記突起（２５）が、前記閉鎖システム（７）の最初の閉状態で、前記挿入部（１０）と平行な平面上に位置するとともに、前記閉鎖部（９）に対して前記ストア（２）の前記自由縁（６）から突出する、請求項１０〜１６のいずれか一項に記載の不正開封防止容器。
【請求項１８】
前記突起（２５）が、同じ突起（２５）の横たわっている平面に対して垂直な正面視野にしたがって、前記ストア（２）の前記自由縁（６）から延びる先細り形状を有し、前記突起（２５）の先細り形状が、前記閉鎖システム（７）の最初の閉状態中において当該不正開封防止容器（１）の最初の開状態前に、前記突起の触覚的な知覚を助けるように構成されている、請求項１０〜１７のいずれか一項に記載の不正開封防止容器。
【請求項１９】
前記閉鎖システム（７）が、該システムそれ自体の閉状態で前記除去可能部（１５）よりも上側の前記自由縁（６）に配置されるように構成される貫通開口（２６）を備える、請求項１０〜１８のいずれか一項に記載の不正開封防止容器。
【請求項２０】
前記貫通開口（２６）が、前記システム（７）の最初の閉鎖後において当該不正開封防止容器（１）の最初の開状態前に、前記突起（２５）が通過できるようにし得る、したがって、前記突起を前記ストア（２）から抜け出させることができるようにし得る、請求項１９に記載の不正開封防止容器。
【請求項２１】
前記貫通開口（２６）が前記閉鎖部（９）に及び／又は前記タブ（８）の前記挿入部（１０）に画定されている、請求項19又は２０に記載の不正開封防止容器。
【請求項２２】
前記貫通開口（２６）が、途切れることなく、前記タブ（８）の前記閉鎖部（９）に少なくとも部分的に及び前記挿入部（１０）に少なくとも部分的に画定される、請求項１９，２０又は２１に記載の不正開封防止容器。
【請求項２３】
前記除去可能部（１５）の方を向く前記ストア（２）の前記側壁（４）が前記自由縁（６）に凹部（２７）を有し、前記凹部（２７）が前記自由縁（６）の窪みを実質的に画定することができ、最初の閉状態後において最初の開状態前に、前記窪みから前記除去可能部（１５）の前記突起（２５）が表出する、請求項１０〜２２のいずれか一項に記載の不正開封防止容器。
【請求項２４】
請求項１０〜２３のいずれか一項に記載の容器（１）を形成するプロセスであって、少なくとも以下のステップ、すなわち、
シート材料から形成される前記ストア（２）を事前配置するステップと、
前記ストア（２）の自由縁（６）で係合されるシート材料から形成される前記閉鎖システム（７）を事前配置するステップであって、前記閉鎖システムが前記容器（１）の閉状態及び開状態を規定するように構成される、ステップと、
シート材料から形成される前記安全装置（１２）を事前配置するステップであって、そのようなステップが、最初の閉状態後に前記ストア（２）から及び／又は前記閉鎖システム（７）から表出する触覚的に知覚できる突起（２５）を画定するように構成される少なくとも１つの除去可能部（１５）を形成するようにし、前記除去可能部（１５）が、前記突起（２５）と共に、前記容器（１）の不正開封の形跡を示すために、前記最初の閉状態後における前記閉鎖システム（７）の最初の開状態後に、前記安全装置（１２）から分離するように構成される、ステップと
を備えるプロセス。
【発明の詳細な説明】
【技術分野】
【０００１】
本発明は、不正開封防止容器及び不正開封防止容器を形成するためのプロセスに関する。本容器は、一般に、容器それ自体の閉鎖を確保するために完成した製品の包装を行なうとともにこの容器の想定し得る不正開封の形跡を視覚障害者に対しても示すことができるようにする安全性を与える全ての分野において、その用途を見出すことができる。特に、本容器、すなわち、本発明の対象物は、例えばタブレット又はピルを収容できる携帯型ディスペンサを画定するために、製薬分野及び化粧品分野において有利な用途を見出すことができる。これは、そのような分野では、何ら変質しない無傷の製品の供給を確保することが重要だからである。
【背景技術】
【０００２】
容器それ自体の不正開封の形跡を与えるように構成される安全システムを備える紙又はプラスチック材料の容器の使用が知られている。「不正開封防止」容器とも呼ばれるこれらの容器は、それらの内側に製品を挿入できるようにし、その後、最初の閉状態で、安全装置の起動（当該技術分野では、安全装置の起動が一般に「装備装置（ａｒｍｉｎｇ  ｄｅｖｉｃｅ）」状態と呼ばれる）を可能にし、それにより、最初の開状態後に容器が形跡を与えることができるように構成される。これらのシステムは、一般に、容器に表示される仕様に従った無傷の製品の供給を確保することが特に重要である製薬分野、化粧品分野、及び、食品分野で使用される。
【０００３】
例えば、実質的に更なる包装体を画定するために箱全体を包装するようになっているプラスチック材料の付加的な包装材を「不正開封防止」システムとして使用する紙又はプラスチック材料の箱又は容器が知られている。これらの箱は、幾つかの限界及び不都合を有する。すなわち、事実上、更なる包装は特に高価であるように思われる。これは、更なる包装が、付加的な原材料（付加的なプラスチックフィルム）の使用をもたらすとともに、箱を密封するための多数のステップ、すなわち、フィルムを事前配置して貼り付ける付加的なステップを必要とするからである。更なる包装によってもたらされる経済的な不都合以外に、これらの包装は、パックの不正開封の形跡を与えることができない。事実上、ディスペンサは、容器内の製品を変更する又は置き換えるためにプラスチックフィルムを容易に除去できるとともに、パックのみ（包装されない容器）を公衆に提供することにより更なる安全包装材を伴うことなくこの容器の販売を進めることができる。
【０００４】
更に、箱それ自体を閉じられた状態に保持するように構成されるシール及び／又はラベルを「不正開封防止」システムとして使用する紙又はプラスチック材料から形成される箱が知られている。この最後の類の安全システムは、前述の更なる包装材よりも確かに効率的である。これは、シールの除去が箱を正しく再閉できないようにし、その結果、容器の不正開封の形跡を顧客に与えることができないからである。これらの後者で説明した箱は、更なる包装材を伴う前述した容器に対する改良であるが、しかしながら、そのような箱は特に高価である。これは、それらの箱も、シール／ラベルにより代表される付加的な原材料と、そのような要素を事前配置して貼り付けるための付加的なステップとを必要とするからである。このため、前述の容器に対して改良される紙材料の「不正開封防止」容器が形成されてきた。
【０００５】
米国特許出願公開第２０１１／０１８０５３７号明細書に記載される第１の例は、自由縁により境界付けられる開口を備えるストア（保管箱）を有する全体的に紙材料から形成される箱に言及し、そのような開口には自由縁の周りで回転移動できる２つの対向する側方タブが存在する。側方タブは、ストアの内側に回転して側方タブ自体を部分的に重なり合う状態に配置するように構成される。前記タブのそれぞれは、一種の可動ドアを画定するようにストアの自由縁で切り欠かれる。更に、容器は、ストアの自由縁と係合されてタブ間に介挿されるカバーを有し、カバーも、自由縁の周りで回転移動できるとともに、タブよりも上側に配置されるように構成される。具体的には、カバーは、容器の閉状態を規定するために側方タブ上に重ね合わされるようになっている閉鎖タブを支持し、更に、カバーは、容器の内側に入るとともに前記閉状態を保持するために側方タブに対してロックされるようになっている係合タブを支持する。閉鎖タブは、ドアを画定する切り欠きを有し、これらの切り欠きは側方タブドアと協働するように構成される。容器は、不正開封防止システムとして、閉鎖タブ及び側方タブドアをストアの内側に強制的に折り曲げるようにする。すなわち、容器の開放は、閉鎖タブにより支持されるドアの破壊を引き起こす。
【０００６】
米国出願に記載される容器は、少なくとも製品コスト及びプロセスコストに関し、前述の包装・シールシステムに対する改良である。事実上、そのような出願に記載される容器は、全体的に紙材料から形成される。すなわち、不正開封防止システムは、閉鎖タブ及び側方内部タブの紙部分によって形成される。このため、米国出願に記載される容器は、コストに関して更に有利である。これは、それらの容器が、付加的な材料の使用（例えば、プラスチックフィルム及び／又は更なるラベルの被覆）、及び、そのような材料を事前配置して加えるための付加的なプロセスステップの使用をもたらさないからである。例えば、米国出願に記載される容器は、標準的な（不正開封防止でない）容器を形成するプロセスに対して、タブを切り欠く付加的なステップと、ドアをストアの内側に折り曲げる更なるステップとを有する。当然ながら、容器（安全装置を伴わない箱）の単純な実施に対して付加的なプロセスステップを実行する必要性は、そのような箱を製造するためのプラントにも安全装置を事前配置するために必要な付加的なステップを行なうようになっている付加的な構成要素が設けられることをもたらす。したがって、プラントは更なる工具を必要とする。製品コスト及びプロセスコスト以外に、米国出願に記載される紙箱が、プラントに工作機械を据え付けるための更なる費用を伴うことは明らかである。容器の複雑な構造が、特に製造プラントの工作機械据え付けを必要とする以外に、容器の内側への製品の挿入及びその後の容器の閉鎖に専用の包装プラントの適切な工作機械据え付けを必要とすることを認識することは更に有用である。事実上、前述の容器の構造的な複雑さは、製造プラント及び容器包装プラントの両方にとって重荷となり、その結果、包装製品全体のコストがかなり増大する。
【０００７】
従前の米国出願の前述の箱の更なる不都合は、容易に貫通できる不正開封防止システム構造によって代表される。事実上、安全装置は、容器の上端及び箱の自由縁に配置される。すなわち、安全装置それ自体は、ドアを破壊することを回避するように、したがって任意の不正開封の形跡を示すことなく、容器の開口で不正開封されてバイパスされ得る。
【０００８】
欧州特許出願公開第０５１９３８９号明細書に記載される第２の例は、第１の例（米国出願）に記載される容器とほぼ同じ構造を有する全体的に紙材料から形成される箱に言及する。また、そのような容器は、自由縁により境界付けられる開口を備えるストアを有する。そのような開口には、自由縁の周りで回転移動できる互いに対向する２つの側方タブが存在する。側方タブは、ストアの内側に回転して部分的に重なり合う状態に配置されるように構成される。米国出願とは対照的に、各タブは、他のタブとの重なり合い領域に、アンダーカットを備える除去可能部を有する。更に、容器は、ストアの自由縁と係合されてタブ間に介挿されるカバーを有し、カバーも、自由縁の周りで回転移動できるとともに、タブよりも上側に配置されるように構成される。特に、カバーは、容器の閉状態を規定するために側方タブと重なり合うようになっている閉鎖タブを支持し、カバーは、容器の内側に入るとともに前記閉状態を維持するために側方タブに対してロックされるようになっている係合タブを更に支持する。閉鎖タブは、タブの除去可能部のアンダーカットを受けるのに適した座部を画定するようになっている切り欠きを有する。容器は、不正開封防止システムとして、最初の容器閉鎖中においてカバーの座部の内側に除去可能部の結合部を備え、容器の開放により、内側側方タブにより支持される除去部が引き裂かれる。
【０００９】
米国出願のように、欧州出願に記載される容器は、少なくとも製品コスト及びプロセスコストに関し、前述の包装・ラベリングシステムに対する改良である。事実上、そのような出願に記載される容器も全体的に紙材料から形成される。すなわち、不正開封防止システムは、側方内部タブの紙部分のみにより形成される（付加的な材料の使用、及び、前記材料を供給して加えるための付加的なプロセスステップの使用がもたらされない）。しかしながら、欧州特許に記載される容器が第１の例に対する改良であることが分かる。これは、箱を切り欠いて折り曲げる更なるステップを要することなく箱／容器の「装備」が箱／容器の最初の閉鎖時に行なわれるからである。このため、第２の例は、米国特許に記載される製造プロセスよりも速く費用効率が高い製造プロセスを有する。
【００１０】
しかしながら、第２の例に記載される不正開封防止システムも容易にバイパス可能であることが分かる。これは、不正開封防止システムが容器の上端に配置されるからである。そのため、この場合も、除去可能部の破壊を引き起こすことなく（したがって、不正開封の形跡を与えることなく）、容器を不正開封することにより安全装置をバイパスすることができる。
【００１１】
更に、前述の不正開封防止システムの全てが容器の不正開封の形跡を視覚障害者に対して与えるように構成されていないことが留意される。事実上、前述のシステムの全ては、最初の容器開放の形跡を与えるために、視覚障害者が容器の状態を確かめることができない目に見える装置のみを使用する。
【発明の概要】
【発明が解決しようとする課題】
【００１２】
したがって、本発明の目的は、先の解決策の不都合及び／又は限界のうちの少なくとも１つを実質的に解決することである。
【００１３】
本発明の最初の目的は、容器それ自体の最初の開放時に不正開封の形跡を視覚障害者に対しても効果的に示すようにすることができる容器を提供することから成る。本発明の更なる主な目的は、容器それ自体の最初の開放時に容易で効果的な装備を確保できる不正開封防止容器を提供することから成る。本発明の更なる主要な目的は、製造コスト及び製品コストを最小に減らすことができるようにする、製造が容易で速い容器を提供することから成る。本発明の他の目的は、最適な魅力的外観を実質的に与えることができると同時に、製造プロセス及び組み立てプロセスの簡素化を実質的に維持できる容器を事前配置することから成る。ひいては、本発明の二次的な目的は、容器を形成する材料の非生体分解性に起因する特定の問題を伴うことなく、ユーザによって数回使用することができ、したがって、容器をリサイクルすることによりその役目を使い果たした時点で処分できる、不正開封防止容器を事前配置することである。
【００１４】
以下の説明において更に良く明らかになる前述の目的のうちの１つ以上は、実質的に、添付の特許請求項のうちの１つ以上に係る不正開封防止容器によって及びそれぞれの製造プロセスによって満たされる。
【課題を解決するための手段】
【００１５】
以下、本発明の態様について説明する。第１の態様では、不正開封防止容器（１）が提供され、この不正開封防止容器（１）は、
・内容積部（３）を画定するとともに製品を収容するように構成されるシート材料から形成される少なくとも１つのストア（保管箱）（２）であって、前記ストア（２）が自由縁（６）により境界付けられる少なくとも１つの通過開口（５）を画定する所定数の側壁（４）を有し、前記通過開口（５）がストア（２）の内容積部（３）を外部環境と連通させて配置するように構成される、少なくとも１つのストア（２）と、
・自由縁（６）で係合されてストア（２）に対して特に回転により移動できる同様にシート材料から形成される少なくとも１つの閉鎖システム（７）であって、閉鎖システム（７）は、システムそれ自体がストア（２）の内容積部（３）と外部環境との間の連通を阻止する少なくとも１つの閉状態を規定するように構成され、閉鎖システム（７）は、システムそれ自体が内容積部（３）と外部環境との間の連通を可能にする開状態を規定するように更に構成され、
閉鎖システム（７）は、ストア（２）の自由縁（６）に係合されるとともに自由縁（６）に対して特に回転により移動できる閉鎖部（９）を有する少なくとも１つのタブ（８）を備え、タブ（８）は、閉鎖システム（７）の閉状態でストア（２）の内容積部（３）の内側に挿入されるように構成される少なくとも１つの挿入部（１０）を更に有し、閉鎖システム（７）は、タブ（８）に隣接してストア（２）の自由縁（６）に係合される少なくとも１つの当接部（１１）を更に備え、当接部（１１）は、閉状態で、内容積部（３）とタブ（８）との間に介挿されるように構成される、少なくとも１つの閉鎖システム（７）と、
・シート材料の少なくとも１つの安全装置（１２）であって、
タブ（８）及び／又は閉鎖システム（７）の当接部（１１）によってもたらされる少なくとも１つの第１の結合部（１３）と、
ストア（２）と係合されるとともに前記第１の結合部（１３）と協働するように構成される少なくとも１つの第２の結合部（１４）と
を有し、
第１及び第２の結合部（１３，１４）は、閉鎖システム（７）の最初の閉状態中に互いに安定して係合するように構成され、第１及び／又は第２の結合部（１３，１４）は、容器（１）の不正開封の形跡を与えるために前記最初の閉状態後における閉鎖システム（７）の最初の開状態後に安全装置（１２）から分離するように構成される少なくとも１つの除去可能部（１５）を有し、第２の結合部（１４）は、システム（７）の閉状態において、ストア（２）の内部に配置されるとともに、ストア（２）の側壁（４）のうちの１つと平行な平面内にほぼ位置し、第１の結合部（１３）は、第２の結合部（１４）と安定して係合するためにストア（２）の内容積部（３）内に少なくとも部分的に挿入するように構成される、安全装置（１２）と
を備える。
【００１６】
第２の態様では、不正開封防止容器（１）が提供され、この不正開封防止容器（１）は、
・内容積部（３）を画定するとともに製品を収容するように構成されるシート材料から形成される少なくとも１つのストア（２）であって、前記ストア（２）が自由縁（６）により境界付けられる少なくとも１つの通過開口（５）を画定する所定数の側壁（４）を有し、前記通過開口（５）がストア（２）の内容積部（３）を外部環境と連通させて配置するように構成される、少なくとも１つのストア（２）と、
・自由縁（６）で係合されてストア（２）に対して特に回転により移動できる同様にシート材料から形成される少なくとも１つの閉鎖システム（７）であって、閉鎖システム（７）は、システムそれ自体がストア（２）の内容積部（３）と外部環境との間の連通を阻止する少なくとも１つの閉状態を規定するように構成され、閉鎖システム（７）は、システムそれ自体が内容積部（３）と外部環境との間の連通を可能にする開状態を規定するように更に構成され、
閉鎖システム（７）は、ストア（２）の自由縁（６）と係合されるとともに自由縁（６）に対して特に回転により移動できる閉鎖部（９）を有する少なくとも１つのタブ（８）を備え、タブ（８）は、閉鎖システム（７）の閉状態でストア（２）の内容積部（３）の内側に挿入されるように構成される少なくとも１つの挿入部（１０）を更に有し、閉鎖システム（７）は、タブ（８）に隣接してストア（２）の自由縁（６）と係合される少なくとも１つの当接部（１１）を更に備え、当接部（１１）は、閉状態で、内容積部（３）とタブ（８）との間に介挿されるように構成される、少なくとも１つの閉鎖システム（７）と、
・閉鎖システムの最初の閉状態後にストア（２）と少なくとも部分的に安定して係合可能であるとともに閉鎖システム（７）と少なくとも部に安定して係合可能なシート材料から形成される少なくとも１つの安全装置（１２）であって、
安全装置（１２）は、最初の閉状態後にストア（２）から及び／又は閉鎖システム（７）から表出する触覚的に知覚できる突起（２５）を画定するように構成される少なくとも１つの除去可能部（１５）を備え、除去可能部（１５）は、突起（２５）と共に、容器（１）の不正開封の形跡を与えるために、前記最初の閉状態後における閉鎖システム（７）の最初の開状態時に、安全装置（１２）から分離するように構成される、少なくとも１つの安全装置（１２）と
を備える。
【００１７】
態様１に係る第３の態様において、安全装置（１２）は、閉鎖システムの最初の閉状態後にストア（２）と少なくとも部分的に安定して係合可能であるとともに閉鎖システム（７）と少なくとも部分的に安定して係合可能であり、安全装置（１２）は、最初の閉状態後にストア（２）から及び／又は閉鎖システム（７）から表出する触覚的に知覚できる突起（２５）を画定するように構成される少なくとも１つの除去可能部（１５）を備え、除去可能部（１５）は、突起（２５）と共に、容器（１）の不正開封の形跡を与えるために、前記最初の閉状態後における閉鎖システム（７）の最初の開状態後に、安全装置（１２）から分離するように構成され、或いは、
第２の態様によれば、安全装置（１２）は、
・タブ（８）によって及び／又は閉鎖システム（７）の当接部（１１）によって支持される少なくとも１つの第１の結合部（１３）と、
・ストア（２）と係合されるとともに前記第１の結合部（１３）と協働するように構成される少なくとも１つの第２の結合部（１４）と
を備え、
第１及び第２の結合部（１３，１４）は、閉鎖システム（７）の最初の閉状態中に互いに安定して係合するように構成され、第１及び／又は第２の結合部（１３，１４）は、容器（１）の不正開封の形跡を与えるために前記最初の閉状態後における閉鎖システム（７）の最初の開状態後に安全装置（１２）から分離するように構成される少なくとも１つの除去可能部（１５）を有し、第２の結合部（１４）は、システム（７）の閉状態において、ストア（２）の内部に配置されるとともに、ストア（２）の側壁（４）のうちの１つと平行な平面内にほぼ位置し、第１の結合部（１３）は、第２の結合部（１４）と安定して係合するためにストア（２）の内容積部（３）内に少なくとも部分的に挿入するように構成される。
【００１８】
態様１又は態様３に係る第４の態様において、安全装置（１２）は、
・タブ（８）によって及び／又は閉鎖システム（７）の当接部（１１）によって支持される少なくとも１つの第１の結合部（１３）と、
・ストア（２）と係合されるとともに前記第１の結合部（１３）と協働するように構成される少なくとも１つの第２の結合部（１４）と
を備え、
第１及び第２の結合部（１３，１４）は、閉鎖システム（７）の最初の閉状態中に互いに安定して係合するように構成され、第１及び／又は第２の結合部（１３，１４）は、容器（１）の不正開封の形跡を与えるために最初の閉状態後における閉鎖システム（７）の最初の開状態後に安全装置（１２）から分離するように構成される前記突起（２５）により支持される少なくとも１つの除去可能部（１５）を有する。
【００１９】
態様１又は３又は４に係る第５の態様において、第２の結合部（１４）は、閉鎖システム（７）の閉状態において、ストア（２）の内部に配置されるとともに、ストア（２）の側壁（４）のうちの１つと平行な平面内にほぼ位置し、第１の結合部（１３）は、第２の結合部（１４）と安定して係合するために、ストア（２）の内容積部（３）内に少なくとも部分的に、特に内容積部（３）の内側に完全に挿入するように構成される。
【００２０】
第１の態様又は態様３〜５のうちのいずれか１つに係る第６の態様において、第１及び第２の結合部（１３，１４）間の少なくとも一方は、少なくとも１つのアンダーカット部（１６）を備える除去可能部（１５）を有し、前記第１及び第２の結合部（１３，１４）間の少なくとも他方は、容器（１）の最初の閉状態で前記アンダーカット部（１６）と係合するように構成される。
【００２１】
先の態様に係る第７の態様において、除去可能部（１５）のアンダーカット部（１６）は、容器（１）の最初の閉状態でストア（２）の自由縁（６）とは別個で且つ自由縁（６）から距離が隔てられる把持縁（１７）によって境界付けられる。
【００２２】
先の態様に係る第８の態様において、把持縁（１７）は、容器（１）の最初の閉状態で、ストア（２）の自由縁（６）から２ｍｍよりも大きい、特に３ｍｍよりも大きい、更に一層とりわけ３．５〜１２ｍｍを成す最小距離（Ｄ１）を有する。
【００２３】
態様２〜８のうちのいずれか１つに係る第９の態様において、突起（２５）は、容器（１）の最初の閉状態後において容器それ自体を初めて開放するステップの前に、ストア（２）の自由縁（６）から及び／又は閉鎖システム（７）から内容積部（３）の外側に表出する。
【００２４】
態様７〜９のうちのいずれか１つに係る第１０の態様において、突起（２５）は、把持縁（１７）から距離が隔てられるとともに、除去可能部（１５）に対して把持縁（１７）とは反対側に配置され、特に、突起（２５）は、除去可能部（１５）に対して把持縁とは反対側の部分から表出する。
【００２５】
態様６〜１０のうちのいずれか１つに係る第１１の態様では、除去可能部（１５）のアンダーカット部（１６）が少なくとも１つのフック（１８）を備える。
【００２６】
先の態様に係る第１２の態様では、除去可能部（１５）のフック（１８）が座部（１９）を画定し、座部の凹面は、少なくとも装置（１２）の最初の閉状態において、ストア（２）の側壁（４）のうちの少なくとも１つの方を向く。特に、凹面は、ストア（２）の側壁（４）のうちの少なくとも１つの方を向く。
【００２７】
先の態様に係る第１３の態様では、座部（１９）が略「Ｃ」形状を有する。
【００２８】
態様１又は態様３〜１３のうちのいずれか１つに係る第１４の態様において、前記除去可能部（１５）を有さない第１及び第２の結合部（１３，１４）間の少なくとも一方は、それぞれの把持縁（２１）によって境界付けられる少なくとも１つのそれぞれのアンダーカット部（２０）を備え、前記それぞれのアンダーカット部（２０）は、容器（１）の最初の閉状態で、除去可能部（１５）と係合するように構成される。
【００２９】
先の態様に係る第１５の態様において、アンダーカット部（２０）は、容器（１）の最初の閉状態において、除去可能部（１５）のアンダーカット部（１６）と係合するように構成される。
【００３０】
態様１４又は１５に係る第１６の態様において、除去可能部（１５）の把持縁（１７）は、容器（１）の最初の閉状態において、ストア（２）の自由縁（６）と前記除去可能部（１５）を有さない結合部のそれぞれの把持縁（２１）との間に介挿される。
【００３１】
態様１４〜１６のうちのいずれか１つに係る第１７の態様では、前記除去可能部（１５）を有さないそれぞれのアンダーカット部（２０）が少なくとも１つのフック（２２）を備える。
【００３２】
先の態様に係る第１８の態様では、前記除去可能部（１５）を支持しないそれぞれの部分（２０）のフック（２２）が座部（２３）を画定し、座部の凹面は、少なくとも容器の閉状態において、ストア（２）の側壁（４）のうちの少なくとも１つの方を向く。
【００３３】
先の態様に係る第１９の態様において、前記除去可能部（１５）を有さないそれぞれのアンダーカット部（２０）の座部（２３）は、略「Ｃ」形状を画定する。
【００３４】
態様１８又は１９に係る第２０の態様において、除去可能部（１５）の座部（１９）の凹面は、容器（１）の最初の閉状態において、前記除去可能部（１５）を支持しないそれぞれのアンダーカット部（２０）の座部（２３）の凹面の方を向く。
【００３５】
先の態様のうちのいずれか１つに係る第２１の態様において、除去可能部（１５）は、除去可能部それ自体に対して互いに反対側に配置される２つのアンダーカット部を備える。
【００３６】
態様１又は態様３〜２１のうちのいずれか１つに係る第２２の態様において、前記除去可能部（１５）を有さない前記第１及び第２の結合部（１３，１４）間の少なくとも一方は、容器（１）の最初の閉状態で除去可能部（１５）の２つのアンダーカット部と係合するように構成される２つのそれぞれのアンダーカット部を備える。
【００３７】
先の態様のうちのいずれか１つに係る第２３の態様において、閉鎖システム（７）は、システムの閉状態で除去可能部（１５）よりも上側の自由縁（６）に配置されるように構成される貫通開口（２６）を備える。
【００３８】
先の態様のうちのいずれか１つに係る第２４の態様において、貫通開口（２６）は、システム（７）の最初の閉鎖後において容器（１）の最初の開状態前に、突起（２５）が通過できるようにし得る、したがって、突起をストア（２）から抜け出させることができるようにし得る。
【００３９】
態様２３又は２４に係る第２５の態様では、貫通開口（２６）が閉鎖部（９）に及び／又はタブ（８）の挿入部（１０）に画定される。
【００４０】
態様２３又は２４又は２５に係る第２６の態様において、貫通開口（２６）は、以下の形状、すなわち、長方形、正方形、円形、楕円形、半円形、三角形のうちのグループ内で選択される少なくとも１つの形状を有する周囲輪郭を画定する。
【００４１】
態様２３〜２６のうちのいずれか１つに係る第２７の態様において、貫通開口（２６）は、途切れることなく、タブ（８）の閉鎖部（９）に少なくとも部分的に及び挿入部（１０）に少なくとも部分的に画定される。
【００４２】
先の態様のうちのいずれか１つに係る第２８の態様において、除去可能部（１５）の方を直接に向くストア（２）の側壁（４）は、自由縁（６）に凹部（２７）を有する。
【００４３】
先の態様に係る第２９の態様において、凹部（２７）は、自由縁（６）の窪みを実質的に画定することができ、最初の閉状態後において最初の開状態前に窪みから除去可能部（１５）の突起（２５）が表出する。
【００４４】
態様２８又は２９に係る第３０の態様において、凹部（２７）は、以下の形状、すなわち、「Ｃ」形状、「Ｕ」形状、「Ｖ」形状のうちのグループ内で選択される少なくとも１つの形状を有する開放した周囲輪郭を画定する。
【００４５】
態様２８〜３０のうちのいずれか１つに係る第３１の態様において、凹部（２７）は、安全装置（１２）の第２の結合部（１４）と平行な側壁（４）によって支持される。
【００４６】
態様２８〜３１のうちのいずれか１つに係る第３２の態様において、貫通開口（２６）は、閉鎖システム（７）の閉状態において、ストア（２）の凹部（２７）に配置されて、特に互いに対向し、貫通開口（２６）及び凹部（２７）は、閉鎖システム（７）の閉状態において、互いに少なくとも部分的に対向形成されるとともに、突起（２５）の視認性及び触覚的な知覚の両方を可能にする。
【００４７】
態様２２〜３２のうちのいずれか１つに係る第３３の態様において、安全装置（１２）は、ストア（２）により及び／又は閉鎖システム（７）により直接に支持されるシート材料の制御部（２８）を更に備え、制御部（２８）は、
・システム（７）の最初の閉鎖後において容器（１）の最初の開状態前に、挿入部が前記制御部（２８）と挿入部（１０）に隣接するストア（２）の側壁（４）との間に介挿されるように挿入部（１０）の背後に配置されるように構成され、そのような状態で、制御部（２８）は、ストア（２）内に完全に収容されるとともに、除去可能部（１５）により直接に覆われ、
・容器（１）の最初の開状態後に、挿入部が前記制御部（２８）と挿入部（１０）に隣接するストア（２）の側壁（４）との間に介挿されるように挿入部（１０）の背後に配置されるように構成され、そのような状態において、制御部（２８）は、ストア内に完全に収容されて、閉鎖システム（７）の貫通開口（２６）の方を向き、制御部（２８）が少なくとも１つのキャビティ（２９）を有し、キャビティ（２９）は、貫通開口（２６）を介して外側から接触可能であるとともに、除去可能部の欠如を確かめて、容器（１）の不正開封の形跡を与えるために、触覚的に知覚できる。
【００４８】
先の態様に係る第３４の態様において、キャビティ（２９）は、タブ（８）の閉鎖部（９）の方を向く凹面を有する開放した輪郭を画定する。
【００４９】
先の態様に係る第３５の態様において、制御部（２９）のキャビティ（２９）の開放した輪郭は、「Ｕ」輪郭、「Ｖ」輪郭、「Ｃ」輪郭のうちのグループ内で選択される輪郭を画定する。
【００５０】
態様３３〜３５のうちのいずれか１つに係る第３６の態様において、制御部（２８）は、ストア（２）により直接に支持されるとともに、第２の結合部（１４）と平行に横たわるシートを備える。
【００５１】
先の態様に係る第３７の態様において、制御部（２８）は、安全装置（１２）の第２の結合部（１４）に一体的に結合されて第２の結合部（１４）と平行である。
【００５２】
先の態様のうちのいずれか１つに係る第３８の態様では、ストア（２）が少なくとも１つの制御貫通開口（２４）を備え、前記制御開口（２４）は、安全装置（１２）の第２の結合部（１４）と平行な側壁（４）によってもたらされ、前記制御開口（２４）は、安全装置（１２）の除去可能部（１５）に及びタブ（８）の挿入部（１０）に配置され、制御開口（２４）は、容器（１）の最初の開放の状態の前に除去可能部（１５）を目に見えるようにするべく構成され、前記制御貫通開口（２４）は、容器（１）の不正開封の形跡を与えるために容器（１）の最初の開放の状態後にタブ（８）の挿入部（１０）を目に見えるようにするべく更に構成される。
【００５３】
先の態様に係る第３９の態様において、除去可能部（１５）の少なくとも１つの部分は、容器（１）の最初の開状態前に、タブ（８）の挿入部（１０）とストア（２）の制御開口（２４）との間に介挿される。
【００５４】
先の態様のうちのいずれか１つに係る第４０の態様において、除去可能部（１５）は、シート材料から形成されるとともに、ストア（２）の側壁（４）及びストア（２）の内容積部の方をそれぞれ向く第１及び第２の面（１５ａ，１５ｂ）間で延びる。
【００５５】
先の態様に係る第４１の態様において、第１及び第２の面（１５ａ，１５ｂ）は、前記制御開口（２４）を支持するストア（２）の１つの側壁（４）及びストア（２）の内容積部の方をそれぞれ向き、制御開口（２４）は、容器（１）の最初の開状態前に第１の除去可能部の面（１５ａ）を目に見えるようにするべく構成される。
【００５６】
先の態様のうちのいずれか１つに係る第４２の態様において、挿入部（１０）は、シート材料から形成されるとともに、ストア（２）の１つの側壁（４）及びストア（２）の内容積部の方をそれぞれ向く第１及び第２の面（１０ａ，１０ｂ）間で延びる。
【００５７】
先の態様に係る第４３の態様において、第１及び第２の面（１０ａ，１０ｂ）は、制御容積部（２４）を支持するストア（２）の側壁及びストア（２）の内容積部の方をそれぞれ向き、制御開口（２４）は、容器（１）の最初の開状態後に挿入部（１０）の第１の面（１０ａ）を目に見えるようにするべく構成される。
【００５８】
態様３７〜４３のうちのいずれか１つに係る第４４の態様において、制御開口（２４）から見える挿入部（１０）の少なくとも一部は、制御開口（２４）から見える除去可能部（１５）の少なくとも一部とは異なるとともに区別することができ、挿入部（１０）及び除去可能部（１５）の見える部分同士の間の違いは、容器（１）の不正開封を外側から明らかにし得る。
【００５９】
先の態様に係る第４５の態様において、制御開口（２４）から見える挿入部（１０）の第１の面（１０ａ）の少なくとも一部は、容器（１）の不正開封の形跡を与えるために、制御開口（２４）から見える除去可能部（１５）の第１の面（１５ａ）の少なくとも一部とは異なる色を有する。
【００６０】
先の態様に係る第４６の態様において、除去可能部（１５）の少なくとも１つの部分は、容器（１）の最初の開状態前に、タブ（８）の挿入部（１０）とストア（２）の側壁（４）との間に介挿される。
【００６１】
先の態様のうちのいずれか１つに係る第４７の態様において、容器（１）は、ストアそれ自体に対して互いに反対側でそれぞれの自由縁（６）によって境界付けられる２つの貫通開口（５）を備える。
【００６２】
先の態様に係る第４８の態様において、容器（１）は、前記貫通開口（５）のそれぞれに閉鎖システム（７）及び安全装置（１２）を有し、各安全装置（１２）は、それぞれの通過開口（５）で容器（１）の不正開封の形跡を与えるように構成される。
【００６３】
先の態様のうちのいずれか１つに係る第４９の態様では、第１の結合部（１３）がタブ（８）によって直接にもたらされる。
【００６４】
先の態様に係る第５０の態様において、第１の結合部（１３）は、挿入部（１０）に直接に接続されるとともに、この挿入部から接線方向で表出し、挿入部（１０）は、第１の結合部（１３）とタブ（８）の閉鎖部（９）との間に介挿される。
【００６５】
先の態様のうちのいずれか１つに係る第５１の態様において、第１の結合部（１３）は、タブ（８）に対して一体的に結合され、特に、タブ（８）の挿入部（１０）に対して一体的に結合される。
【００６６】
先の態様のうちのいずれか１つに係る第５２の態様では、第２の結合部（１４）がストア（２）によって直接にもたらされる。
【００６７】
先の態様のうちのいずれか１つに係る第５３の態様において、第２の結合部（１４）は、少なくとも１つのストア（２）の側壁（４）に直接に接続されるとともに、この側壁と平行に展開する。
【００６８】
先の態様のうちのいずれか１つに係る第５４の態様において、第２の結合部（１４）は、ストア（２）に対して一体的に結合され、特に、ストア（２）の側壁に対して一体的に結合される。
【００６９】
先の態様のうちのいずれか１つに係る第５５の態様において、除去可能部（１５）は、第２の結合部（１４）に直接に接続され、特に、ストア（２）に直接に接続される。
【００７０】
先の態様のうちのいずれか１つに係る第５６の態様において、ストア（２）は、プリズム形状、特に、長方形プリズム形状又は正方形プリズム形状を有する。
【００７１】
先の態様のうちのいずれか１つに係る第５７の態様では、ストア（２）が２００００ｍｍ３よりも大きい内容積部を画定する。
【００７２】
先の態様のうちのいずれか１つに係る第５８の態様では、ストア（２）が紙シート材料から形成される。
【００７３】
先の態様に係る第５９の態様において、ストア（２）の紙シート材料は、１００〜５００ｇｒ／ｍ２を成す、特に２００〜３００ｇｒ／ｍ２を成す坪量を有する。
【００７４】
先の態様のうちのいずれか１つに係る第６０の態様では、閉鎖システム（７）が紙シート材料から形成される。
【００７５】
先の態様に係る第６１の態様において、閉鎖システム（７）の紙シート材料は、１００〜５００ｇｒ／ｍ２を成す、特に２００〜３００ｇｒ／ｍ２を成す坪量を有する。
【００７６】
先の態様のうちのいずれか１つに係る第６２の態様では、安全装置（１２）が紙シート材料から形成される。
【００７７】
先の態様に係る第６３の態様において、安全装置（１２）の紙シート材料は、１００〜５００ｇｒ／ｍ２を成す、特に２００〜３００ｇｒ／ｍ２を成す坪量を有する。
【００７８】
先の態様のうちのいずれか１つに係る第６４の態様では、容器が全体的に紙材料から形成される。
【００７９】
先の態様に係る第６５の態様において、容器（１）の紙シート材料は、１００〜５００ｇｒ／ｍ２を成す、特に２００〜３００ｇｒ／ｍ２を成す坪量を有する。
【００８０】
先の態様のうちのいずれか１つに係る第６６の態様では、容器（１）が単一の平坦シートを折り曲げることにより得られる。
【００８１】
先の態様に係る第６７の態様において、容器（１）がそれから得られる単一の平坦シートは、随意的に１００〜５００ｇｒ／ｍ２を成す、特に２００〜３００ｇｒ／ｍ２を成す坪量を有する紙材料から形成される。
【００８２】
態様１に係る第６８の態様において、安全装置（１２）は、容器（１）
の外側でこの容器の最初の閉状態後に係合できるシート材料から形成されるタブを備え、このタブは、
・タブ（８）の閉鎖部（９）と安定して係合される少なくとも１つの第１の抑制部と、
・閉鎖システム（７）の閉状態で挿入部（１０）の方を直接に向いて挿入部（１０）に隣接する側壁（４）と安定して係合される少なくとも１つの第２の抑制部と、
・一方側で第１の抑制部と係脱可能に係合されるとともに反対側でタブの第２の抑制部と係脱可能に係合される少なくとも１つの除去可能部（１５）と
を有し、
容器（１）と外側で係合するタブは、「Ｌ」輪郭を画定するとともに、ストア（２）から及び／又は閉鎖システム（７）から表出する少なくとも１つの触覚的に知覚できる突起（２５）を画定し、除去可能部（１５）は、突起（２５）と共に、容器（１）の不正開封の形跡を示すために、前記最初の閉状態後における閉鎖システム（７）の最初の開状態後に第１及び第２の抑制部から分離するように構成される。
【００８３】
先の態様に係る第６９の態様において、第１及び第２の抑制部は、容器（１）の外側に安定して接着され、一方、除去可能部（１５）は、特にタブそれ自体の事前切断部により形成される脆弱ラインによって前記第１及び第２の抑制部にのみ係合される。
【００８４】
態様６８又は６９に係る第７０の態様において、除去可能部は、容器（１）に対して直接に拘束されず、第１及び第２の抑制部とだけ直接に係合される。
【００８５】
態様６８〜７０のうちのいずれか１つに係る第７１の態様において、タブの除去可能部（１５）は、最初の閉状態後において容器（１）の最初の開状態前に、閉鎖システム（７）の挿入部（１０）の少なくとも一部に配置されてこれを覆う。
【００８６】
態様６８〜７１のうちのいずれか１つに係る第７２の態様において、タブは、少なくとも一部が紙及び／又はプラスチック材料から形成される。
【００８７】
第７３の態様では、先の態様のうちのいずれか１つに係る容器（１）を形成するためのプロセスが提供され、プロセスは、少なくとも以下のステップ、すなわち、
・シート材料から形成されるストア（２）を事前配置するステップと、
・ストア（２）の自由縁（６）で係合されるシート材料から形成される閉鎖システム（７）を事前配置するステップであって、閉鎖システムが容器（１）の閉状態及び開状態を規定するように構成される、ステップと、
・シート材料から形成される安全装置（１２）を事前配置するステップであって、そのようなステップは、第１及び第２の結合部（１３，１４）を形成するようにし、安全装置（１２）を事前配置する前記ステップは、前記結合部（１３，１４）の少なくとも一方に、容器の最初の閉状態後における容器（１）の最初の開状態後に安全装置（１２）から分離するように構成される除去可能部（１５）を形成し、
安全装置（１２）を事前配置するステップは、容器（１）の閉状態でストア（２）の内部に配置されるとともにストアの少なくとも１つの側壁と平行な第２の結合部（１４）を形成し、安全装置（１２）を事前配置するステップは、第２の結合部（１４）に安定して係合するためにストア（２）の内側に少なくとも部分的に挿入するように構成される第１の結合部（１３）を更に形成する、ステップと
を備える。
【００８８】
第７４の態様では、先の態様のうちのいずれか１つに係る容器（１）を形成するためのプロセスが提供され、プロセスは、少なくとも以下のステップ、すなわち、
・シート材料から形成されるストア（２）を事前配置するステップと、
・ストア（２）の自由縁（６）で係合されるシート材料から形成される閉鎖システム（７）を事前配置するステップであって、閉鎖システムが容器（１）の閉状態及び開状態を規定するように構成される、ステップと、
・シート材料から形成される安全装置（１２）を事前配置するステップであって、そのようなステップは、最初の閉状態後にストア（２）から及び／又は閉鎖システム（７）から表出する触覚的に知覚できる突起（２５）を画定するように構成される少なくとも１つの除去可能部（１５）を形成するようにし、除去可能部（１５）は、突起（２５）と共に、容器（１）の不正開封の形跡を示すために、前記最初の閉状態後における閉鎖システム（７）の最初の開状態後に、安全装置（１２）から分離するように構成される、ステップと
を備える。
【００８９】
態様７３又は７４に係る第７５の態様において、安全装置（１２）を形成するステップは、第１及び第２の結合部（１３，１４）を形成するようにし、安全装置（１２）を事前配置するステップは、前記結合部（１３，１４）のうちの少なくとも一方に、容器の最初の閉状態後における容器（１）の最初の開状態後に安全装置（１２）から分離するように構成される除去可能部（１５）を形成し、安全装置（１２）を事前配置するステップは、容器（１）の閉状態でストア（２）の内部に配置されるとともにこのストアの少なくとも１つの側壁と平行な第２の結合部（１４）を形成し、安全装置（１２）を事前配置するステップは、第２の結合部（１４）と安定して係合するためにストア（２）の内側に少なくとも部分的に挿入するように構成される第１の結合部（１３）を更に形成する。
【００９０】
先の態様に係る第７６の態様において、ストア（２）を事前配置するステップは、少なくとも以下のサブステップ、すなわち、
・中央接続部分（５３）により相互に接続される少なくとも１つの第１及び第２の部分（５２，５４）を備える第１のシート（５１）を事前配置するサブステップであって、前記第１のシート（５１）は、少なくとも１つの第１及び第２の外側接続部分（５５，５６）を更に備え、前記中央接続部分（５３）は第１及び第２の部分（５２，５４）間に介挿され、第１の部分（５２）は、第１の外側接続部分（５５）と中央接続部分（５３）との間に介挿され、第２の部分（５４）は、第２の外側接続部分（５６）と中央接続部分（５３）との間に介挿され、前記各部分（５２，５３，５４，５５，５６）は、少なくとも２つの縦両縁及び２つの端部両縁を備え、前記部分（５２，５４）、中央接続部分（５３）、及び、前記外側接続部分（５５，５６）は、縦縁に沿って結合されるとともに、単一の接続方向に沿って一直線に合わせされる、サブステップと、
・前記外側接続部分（５５，５６）を結合することにより、前記第１のシート（５１）を折り曲げて、自由縁（６）により境界付けられる通過開口（５）を有するストア（２）を形成するサブステップと、
・第１のシート（５１）の第１及び／又は第２の部分（５２，５４）の端縁に一体に結合される少なくとも１つの第２のシート（５７）を事前配置するサブステップであって、前記第２のシート（５７）は、互いに一体に結合される少なくとも１つの第１及び第２の部分（５８，５９）を備え、第２のシートの第１の部分（５８）は、前記第１の部分（５８）が第２のシート（５８）の第２の部分（５９）と第１のシート（５１）との間に介挿されるように第１のシート（５１）に接続される、サブステップと、
・閉鎖システム（７）の閉鎖部（９）及び挿入部（１０）をそれぞれ形成するために第２のシートの第１及び第２の部分を折り曲げるサブステップと、
・第１のシート（５１）の少なくとも１つの中央及び／又は外側接続部分に接続されるとともに第２のシート（５７）が表出する側と同じ側から第１のシート（５１）に対して表出する少なくとも１つの部分（６１）を有する第３のシート（６０）を事前配置するサブステップと、
・容器（１）の当接部（１１）を形成するために第３のシート（６０）の部分（６１）を折り曲げるサブステップと、
・第２のシート（５７）の第２の部分（５９）に対して及び／又は第３のシート（６０）の部分（６１）に対して一体に結合される少なくとも１つの部分（６３）を備える第４のシート（６２）を事前配置するサブステップであって、第４のシート（６２）の部分（６３）は、第１のシート（５１）とは反対の側で第２及び／又は第３のシート（５７，６０）から縦方向に表出し、前記第４のシート（６２）は、容器（１）の第１の結合部（１３）を画定するように構成される、サブステップと、
・第１のシート（５１）に一体に結合されるとともに容器（１）の第２の結合部（１４）を画定するように構成される少なくとも１つの部分（６５）を備える第５のシート（６４）を事前配置するサブステップと、
・第２の結合部がストア（２）の内容積部（３）の内部に配置されるように安全装置（１２）の第２の結合部（１４）を形成するべく第５のシート（６４）の部分（６５）を折り曲げるサブステップと
を備え、
第４及び／又は第５のシート（６２，６４）を事前配置するステップは、それぞれの部分（６３，６５）に、前記部分（６３，６５）に対して脆弱ライン（６７）を用いて一体に結合される少なくとも１つの更なる部分（６６）を形成するステップを含み、前記更なる部分が容器（１）の除去可能部（１５）を画定するように構成される。
【００９１】
先の態様に係る第７７の態様において、更なる部分は、前記突起（２５）を支持する容器（１）の除去可能部（１５）を画定するように構成される。
【００９２】
先の態様に係る第７８の態様において、容器（１）の最初の開状態前におけるシート折り曲げステップの終わりに、除去可能部（１５）が内容積部（３）内に完全に収容され、一方、突起（２５）は、ストア（２）から及び／又は閉鎖システム（７）から容器（１）の外側に表出するように構成される。
【００９３】
態様７４〜７８のうちのいずれか１つに係る第７９の態様において、突起（２５）は、容器（１）の最初の閉状態後において、ストア（２）の自由縁（６）から及び／又は閉鎖システムから内容積部（３）の外側に表出する。
【００９４】
プロセスの先の態様のうちのいずれか１つに係る第８０の態様において、第１のシート（５１）は、少なくとも部分的に、特に全体的に、紙材料から形成される。
【００９５】
プロセスの先の態様のうちのいずれか１つに係る第８１の態様において、第１のシート（５１）は、１００〜５００ｇｒ／ｍ２を成す、特に３００〜４００ｇｒ／ｍ２を成す坪量を有する。
【００９６】
プロセスの先の態様のうちのいずれか１つに係る第８２の態様において、第２のシート（５７）は、少なくとも部分的に、特に全体的に、紙材料から形成される。
【００９７】
プロセスの先の態様のうちのいずれか１つに係る第８３の態様において、第２のシート（５７）は、１００〜５００ｇｒ／ｍ２を成す、特に３００〜４００ｇｒ／ｍ２を成す坪量を有する。
【００９８】
プロセスの先の態様のうちのいずれか１つに係る第８４の態様において、第３のシート（６０）は、少なくとも部分的に、特に全体的に、紙材料から形成される。
【００９９】
先の態様に係る第８５の態様において、第３のシート（６０）は、１００〜５００ｇｒ／ｍ２を成す、特に３００〜４００ｇｒ／ｍ２を成す坪量を有する。
【０１００】
プロセスの先の態様のうちのいずれか１つに係る第８６の態様において、第４のシート（６２）は、少なくとも部分的に、特に全体的に、紙材料から形成される。
【０１０１】
先の態様に係る第８７の態様において、第４のシート（６２）は、１００〜５００ｇｒ／ｍ２を成す、特に３００〜４００ｇｒ／ｍ２を成す坪量を有する。
【０１０２】
プロセスの先の態様のうちのいずれか１つに係る第８８の態様において、第５のシート（６４）は、少なくとも部分的に、特に全体的に、紙材料から形成される。
【０１０３】
先の態様に係る第８９の態様において、第５のシート（６４）は、１００〜５００ｇｒ／ｍ２を成す、特に３００〜４００ｇｒ／ｍ２を成す坪量を有する。
【０１０４】
プロセスの先の態様のうちのいずれか１つに係る第９０の態様において、第１、第２、第３、第４、及び、第５のシート（５１，５７，６０，６２，６４）は、単一のブランク（５０）を形成するために一体に結合される。
【０１０５】
先の態様に係る第９１の態様において、ブランク（５０）は、少なくとも部分的に、特に全体的に、紙材料から形成される。
【０１０６】
先の態様に係る第９２の態様において、ブランク（５０）は、１００〜５００ｇｒ／ｍ２を成す、特に３００〜４００ｇｒ／ｍ２を成す坪量を有する。
【０１０７】
プロセスの先の態様のうちのいずれか１つに係る第９３の態様において、第１のシート（５１）は、以下の部分のみ、すなわち、第１の部分（５２）、第２の部分（５４）、中央接続部分（５３）、第１及び第２の外側接続部分（５５，５６）のみを備え、前記部分のそれぞれが略長方形形状を有する平坦なシートを備え、プロセスは、略長方形又は略正方形のプリズム形状を有するストア（２）を形成するためにそれぞれの縦縁に沿って前記部分を折り曲げるステップを与える。
【０１０８】
プロセスの先の態様のうちのいずれか１つに係る第９４の態様において、第４及び／又は第５のシート（６２，６４）の更なる部分（６６）を事前配置するステップは、除去可能部（１５）のアンダーカット部（１６）を画定できる少なくとも１つのアンダーカット（７０）を形成するようにし、前記第１及び前記第２の結合部部（１３，１４）間の少なくとも一方は、容器（１）の最初の閉状態において前記アンダーカット部（１６）と係合するように構成される。
【０１０９】
先の態様に係る第９５の態様において、除去可能部（１５）のアンダーカット部（１６）は、容器（１）の最初の閉状態でストア（２）の自由縁（６）とは別個で且つ自由縁（６）から距離が隔てられる把持縁（１７）によって境界付けられる。
【０１１０】
先の態様に係る第９６の態様において、把持縁（１７）は、容器（１）の最初の閉状態で、ストアの自由縁（６）から２ｍｍよりも大きい、特に３ｍｍよりも大きい、更に一層とりわけ３．５〜１２ｍｍを成す最小距離（Ｄ１）を有する。
【０１１１】
態様９４〜９６のうちのいずれか１つに係る第９７の態様において、第４及び／又は第５のシート（６２，６４）の更なる部分（６６）を事前配置するステップは、第４及び／又は第５のシート（６２，６４）の更なる部分（６６）から表出するとともに更なる部分それ自体のアンダーカット（７０）に対して反対側に配置される少なくとも１つの膨出部（７３）を形成するようにし、前記膨出部（７３）は、除去可能部（１５）の突起（２５）を画定でき、除去可能部（１５）の突起（２５）は、容器（１）の最初の閉状態後に、ストア（２）の自由縁（６）から及び／又は閉鎖システム（７）から内容積部（３）の外側に表出する。
【０１１２】
プロセスの先の態様のうちのいずれか１つに係る第９８の態様において、突起（２５）は、把持縁（１７）から距離が隔てられるとともに、除去可能部（１５）に対して把持縁（１７）とは反対側にあり、特に、突起（２５）は、除去可能部（１５）に対して把持縁とは反対側に表出する。
【０１１３】
プロセスの先の態様のうちのいずれか１つに係る第９９の態様において、除去可能部（１５）のアンダーカット部（１６）は、座部（１９）を画定する少なくとも１つのフック（１８）を備え、座部（１９）の凹面は、少なくとも安全装置（１２）の最初の閉状態中に、ストア（２）の側壁（４）のうちの少なくとも１つの方を向く。
【０１１４】
先の態様に係る第１００の態様では、座部（１９）が略「Ｃ」形状を有し、把持縁（１７）は、ストア（２）の自由縁（６）の方を向く座部（１９）の部分を画定する。
【０１１５】
プロセスの先の態様のうちのいずれか１つに係る第１０１の態様において、除去可能部（１５）を画定できる更なる部分（６６）を支持しない第４及び第５のシート（６２，６４）のそれぞれの部分（６３，６５）のうちの少なくとも１つを形成するステップは、それぞれの把持縁（２１）によって境界付けられる容器（１）のそれぞれのアンダーカット部（２０）を画定できるアンダーカット（７１）を少なくとも形成するようにし、前記それぞれのアンダーカット部（２０）は、少なくとも容器（１）の最初の閉状態において、除去可能部（１５）のアンダーカット部（１６）と係合するように構成される。
【０１１６】
先の態様に係る第１０２の態様において、除去可能部（１５）の把持縁（１７）は、少なくとも容器（１）の最初の閉状態において、ストア（２）の自由縁（６）と除去可能部（１５）を有さない結合部のそれぞれの把持縁（２１）との間に介挿される。
【０１１７】
態様１０１又は１０２に係る第１０３の態様において、前記除去可能部（１５）を有さないそれぞれのアンダーカット部（２０）は、座部（２３）を画定する少なくとも１つのフック（２２）を備え、座部（２３）の凹面は、少なくとも安全装置（１２）の最初の閉状態中に、ストア（２）の側壁（４）のうちの少なくとも１つの方を向く。
【０１１８】
先の態様に係る第１０４の態様において、前記除去可能部（１５）を有さないそれぞれのアンダーカット部（２０）の座部（２３）は、略「Ｃ」形状を画定する。
【０１１９】
先の態様に係る第１０５の態様において、除去可能部（１５）の座部（１９）の凹面は、容器（１）の最初の閉状態において、前記除去可能部（１５）を支持しないそれぞれのアンダーカット部（２０）の座部（２３）の凹面の方を向く。
【０１２０】
プロセスの先の態様のうちのいずれか１つに係る第１０６の態様において、除去可能部（１５）は、除去可能部それ自体で互いに反対側に配置される２つのアンダーカット部（１６）を備える。
【０１２１】
先の態様に係る第１０７の態様において、前記除去可能部（１５）を有さない前記第１及び第２の結合部（１３，１４）間の少なくとも一方は、容器（１）の最初の閉状態で除去可能部（１５）の２つのアンダーカット部（１６）と係合するように構成される２つのそれぞれのアンダーカット部（２０）を備える。
【０１２２】
プロセスの先の態様のうちのいずれか１つに係る第１０８の態様において、第４のシート（６２）の部分（６３）を形成するステップは、少なくとも以下のサブステップ、すなわち、
・第２のシート（５７）の第２の部分（５９）の延長部分として、第２のシート（５７）と略平行な平坦なシートを形成するサブステップであって、延長シートが第２のシート（５７）の第１の部分（５８）とは反対側で第２の部分（５９）から表出するサブステップと、
・第５の容器（１）の結合部（１３）を画定できるアンダーカット（７１）を形成するサブステップと
を与え、
第５のシート（６４）の部分（６５）を形成するステップは、少なくとも以下のサブステップ、すなわち、
・第１のシート（５１）の延長部分として、第２のシート（５７）と略平行な平坦なシートを形成するサブステップと、
・容器（１）の第２の結合部（１４）を画定できる少なくとも１つのアンダーカット（７０）をシート上に形成するサブステップと、
・アンダーカット（７０）を支持する更なる部分（６６）を形成できる少なくとも１つの脆弱ライン（６７）をシート上に形成するサブステップと、
・アンダーカット（７０）とは反対側に配置される膨出部を更なる部分（６６）上に形成するサブステップであって、前記膨出部（７３）が除去可能部（１５）の突起（２５）を画定するように構成されるサブステップと
を与え、
除去可能部（１５）は、突起（２５）と共に、第５のシート（６４）を形成するステップにより画定される。
【０１２３】
プロセスの先の態様のうちのいずれか１つに係る第１０９の態様において、第２のシート（５７）を事前配置するステップは、閉鎖システム（７）の貫通開口（２６）を画定できる貫通切り欠き（７４）を第２のシート（５７）上に形成する少なくとも１つのステップを与える。
【０１２４】
先の態様に係る第１１０の態様において、貫通切り欠き（７４）は、第２のシート（５７）の第１及び／又は第２の部分（５８，５９）に画定される。
【０１２５】
態様１０９又は１１０に係る第１１１の態様において、貫通切り欠き（７４）は、単一の閉じられた輪郭の切り欠きを画定するために、途切れることなく第２のシート（５７）の第１及び第２の部分（５８，５９）にそれぞれ部分的に画定される。
【０１２６】
態様１０９〜１１１のうちのいずれか１つに係る第１１２の態様において、貫通切り欠き（７４）は、以下の形状、すなわち、正方形、長方形、ダイヤモンド、円形、楕円形、半円形、三角形のグループ内で選択される少なくとも１つの形状を有する閉じられた周囲輪郭を画定する。
【０１２７】
プロセスの先の態様のうちのいずれか１つに係る第１１３の態様において、閉鎖システム（７）は、システムの閉状態において除去可能部（１５）よりも上側で自由縁（６）に配置するように構成される貫通開口（２６）を備え、前記貫通開口（２６）は、システム（７）の最初の閉鎖後において容器（１）の最初の開状態前に、突起（２５）が通過できるようにし得る、したがって、突起をストア（２）から抜け出させることができる。
【０１２８】
先の態様に係る第１１４の態様では、貫通開口（２６）が閉鎖部（９）に及び／又はタブ（８）の挿入部（１０）に画定される。
【０１２９】
態様１１３又は１１４に係る第１１５の態様において、貫通開口（２６）は、以下の形状、すなわち、長方形、正方形、円形、楕円形、半円形、三角形のうちのグループ内で選択される少なくとも１つの形状を有する周囲輪郭を画定する。
【０１３０】
態様１１３〜１１５のうちのいずれか１つに係る第１１６の態様において、貫通開口（２６）は、途切れることなく、タブ（８）の閉鎖部（９）に少なくとも部分的に及び挿入部（１０）に少なくとも部分的に画定される。
【０１３１】
プロセスの先の態様のうちのいずれか１つに係る第１１７の態様において、第１のシート（５１）を形成するステップは、第２のシート（５７）を支持しない第１のシートの第１又は第２の部分（５２，５４）で貫通溝（７５）を第１のシート（５１）に形成する少なくとも１つのステップを与え、貫通溝（７５）はストア（２）の凹部（２７）を画定できる。
【０１３２】
先の態様に係る第１１８の態様において、貫通溝（７５）は、第２のシート（５７）を支持しない第１のシート（５１）の第１又は第２の部分（５２，５４）の少なくとも１つの横縁に画定され、前記貫通溝（７５）は、略「Ｃ」形状又は「Ｕ」形状又は「Ｖ」形状を有する開放した輪郭を画定する。
【０１３３】
プロセスの先の態様のうちのいずれか１つに係る第１１９の態様において、凹部（２７）は、除去可能部（１５）の方を直接に向くストア（２）の側壁（４）に自由縁（６）で画定され、凹部（２７）は自由縁（６）の窪みを実質的に画定することができ、最初の閉状態後において最初の開状態前に、窪みから除去可能部（１５）の突起（２５）が表出する。
【０１３４】
先の態様に係る第１２０の態様において、凹部（２７）は、以下の形状、すなわち、「Ｃ」形状、「Ｕ」形状、「Ｖ」形状のうちのグループ内で選択される少なくとも１つの形状を有する開放した周囲輪郭を画定する。
【０１３５】
先の態様に係る第１２１の態様において、凹部（２７）は、安全装置（１２）の第２の結合部（１４）と平行な側壁（４）によって支持される。
【０１３６】
態様１１９〜１２１のうちのいずれか１つに係る第１２２の態様において、貫通開口（２６）は、閉鎖システム（７）の閉状態において、ストア（２）の凹部（２７）に配置されて、特に互いに対向し、貫通開口（２６）及び凹部（２７）は、閉鎖システム（７）の閉状態において、互いに少なくとも部分的に対向形成される。
【０１３７】
プロセスの先の態様のうちのいずれか１つに係る第１２３の態様では、制御部（２８）を画定するために、更なる部分（６６）を支持する第４及び／又は第５のシートに、更なる部分６６よりも上側に折り曲げることができるシート材料から形成される付加的部分（７６）を形成する。
【０１３８】
先の態様に係る第１２４の態様において、安全装置の制御部（２８）は、ストア（２）により及び／又は閉鎖システム（７）により直接に支持され、制御部（２８）は、
・システム（７）の最初の閉鎖後において容器（１）の最初の開状態前に、挿入部が前記制御部（２８）と挿入部（１０）に隣接するストア（２）の側壁（４）との間に介挿されるように挿入部（１０）の背後に配置されるように構成され、そのような状態で、制御部（２８）は、ストア（２）内に完全に収容されるとともに、除去可能部（１５）により直接に覆われ、
・容器（１）の最初の開状態後に、挿入部が前記制御部（２８）と挿入部（１０）に隣接するストア（２）の側壁（４）との間に介挿されるように挿入部（１０）の背後に配置されるように構成され、そのような状態において、制御部（２８）は、ストア内に完全に収容されて、閉鎖システム（７）の貫通開口（２６）の方を向き、制御部（２８）が少なくとも１つのキャビティ（２９）を有し、キャビティ（２９）は、貫通開口（２６）を介して外側から接触可能であるとともに、除去可能部の欠如を確かめるため、また、このようにして容器（１）の不正開封の形跡を与えるために、触覚的に知覚できる。
【０１３９】
先の態様に係る第１２５の態様において、キャビティ（２９）は、タブ（８）の閉鎖部（９）の方を向く凹面を有する開放した輪郭を画定する。
【０１４０】
先の態様に係る第１２６の態様において、制御部（２８）のキャビティ（２９）の開放した輪郭は、「Ｕ」輪郭、「Ｖ」輪郭、「Ｃ」輪郭のうちのグループ内で選択される輪郭を画定する。
【０１４１】
態様１２４〜１２６のうちのいずれか１つに係る第１２７の態様において、制御部（２８）は、ストア（２）により直接に支持されるとともに、第２の結合部（１４）と平行に隣接するシートを備える。
【０１４２】
先の態様に係る第１２８の態様において、制御部（２８）は、安全装置（１２）の第２の結合部（１４）に一体的に結合されて第２の結合部（１４）と平行である。
【０１４３】
プロセスの先の態様のうちのいずれか１つに係る第１２９の態様において、第１のシート（５１）を事前配置するステップは、前記第２のシート（５７）を支持する第１のシート（５１）の前記第１及び第２の部分（５２，５４）のうちの一方で少なくとも１つの貫通切り欠き（６９）を第１のシート（５１）に形成する少なくとも１つのステップを更に与え、第１のシート（５１）の前記第１及び第２の部分（５２，５４）の他方は、容器（１８）の開口（２４）を画定できる切り欠き（６９）を支持する。
【０１４４】
プロセスの先の態様のうちのいずれか１つに係る第１３０の態様では、ストア（２）が少なくとも１つの制御貫通開口（２４）を備え、前記制御開口（２４）は、安全装置（１２）の第２の結合部（１４）と平行な側壁（４）によってもたらされ、前記制御開口（２４）は、安全装置（１２）の除去可能部（１５）に及びタブ（８）の挿入部（１０）に配置され、制御開口（２４）は、容器（１）の最初の開放の状態の前に除去可能部（１５）を目に見えるようにするべく構成され、前記制御貫通開口（２４）は、容器（１）の不正開封の形跡を与えるために容器（１）の最初の開放の状態後にタブ（８）の挿入部（１０）を目に見えるようにするべく更に構成される。
【０１４５】
先の態様に係る第１３１の態様において、除去可能部（１５）の少なくとも一部は、容器（１）の最初の開状態前に、タブ（８）の挿入部（１０）とストアの制御開口（２４）との間に介挿される。
【０１４６】
プロセスの先の態様のうちのいずれか１つに係る第１３２の態様において、除去可能部（１５）は、シート材料から形成されるとともに、ストア（２）の側壁（４）及びストア（２）の内容積部の方をそれぞれ向く第１及び第２の面（１５ａ，１５ｂ）間で延びる。
【０１４７】
先の態様に係る第１３３の態様において、第１及び第２の面（１５ａ，１５ｂ）は、制御開口（２４）を支持するストア（２）の側壁（４）及びストア（２）の内容積部の方をそれぞれ向き、制御開口（２４）は、容器（１）の最初の開状態前に除去可能部の第１の面（１５ａ）を目に見えるようにするべく構成される。
【０１４８】
プロセスの先の態様のうちのいずれか１つに係る第１３４の態様において、挿入部（１０）は、シート材料から形成されるとともに、ストア（２）の側壁（４）及びストア（２）の内容積部の方をそれぞれ向く第１及び第２の面（１０ａ，１０ｂ）間で延びる。
【０１４９】
先の態様に係る第１３５の態様において、第１及び第２の面（１０ａ，１０ｂ）は、制御開口（２４）を支持するストア（２）の側壁（４）及びストア（２）の内容積部の方をそれぞれ向き、制御開口（２４）は、容器（１）の最初の開状態後に挿入部（１０）の第１の面（１０ａ）を目に見えるようにするべく構成される。
【０１５０】
態様１２８〜１３５のうちのいずれか１つに係る第１３６の態様において、制御開口（２４）から見える挿入部（１０）の少なくとも一部は、制御開口（２４）から見える除去可能部（１５）の少なくとも１つの部分とは異なり、挿入部（１０）及び除去可能部（１５）の見える部分同士の間の違いは、容器（１）の不正開封の形跡を与えることができる。
【０１５１】
先の態様に係る第１３７の態様において、制御開口（２４）から見える挿入部（１０）の第１の面（１０ａ）の少なくとも一部は、容器（１）の不正開封の形跡を与えるために、制御開口（２４）から見える除去可能部（１５）の第１の面（１５ａ）の少なくとも一部とは異なる色を有する。
【０１５２】
態様７３〜１３７のうちのいずれか１つに係る第１３８の態様において、プロセスは、以下のステップ、すなわち、
・ストア（２）を事前配置するステップと、
・閉鎖システム（７）を画定できる第２及び第３のシート（５７）の部分を事前配置するステップと、
・安全装置（１２）を画定できる第４及び第５のシート（６２，６４）の部分を事前配置するステップと、
・随意的に製品を挿入するための少なくとも１つの開口（５）を開放したままにすることによってストア（２）の通過開口（５）を閉じるステップと、
・ストア（２）の内容積部（３）内に製品を挿入するステップと、
・容器（１）の最初の閉状態を規定するために第２及び第３のシート（５７，６０）の部分を折り曲げるステップであって、前記折り曲げステップ中に、容器の第１及び第２の結合部（１３，１４）をそれぞれ画定する第４及び第５のシート（６２，６４）の部分は、容器（１）の装備状態を規定するべく互いに係合する、ステップと
を備える。
【０１５３】
先の態様のうちのいずれか１つに係る第１３９の態様において、除去可能部（１５）の突起（２５）は、閉鎖システム（７）の最初の閉状態で、挿入部（１０）と平行な平面上に位置するとともに、閉鎖部（９）に対して特に横方向でストア（２）の自由縁（６）から突出する。
【０１５４】
先の態様のうちのいずれか１つに係る第１４０の態様において、突起（２５）は、１ｍｍを超える、特に１〜１０ｍ、更に特に１〜７ｍｍの値だけ自由縁（６）の傍らで延びる。
【０１５５】
先の態様のうちのいずれか１つに係る第１４１の態様において、突起（２５）は、閉鎖システム（７）の最初の閉状態において容器（１）の最初の開状態前に、タブ（８）の閉鎖部（９）とほぼ同一の平面内にとどまるように構成され、或いは、前記閉鎖部（９）から横方向に表出するように構成され、突起（２５）は、いずれの形態においても、触覚的に知覚できるように構成される。
【０１５６】
先の態様のうちのいずれか１つに係る第１４２の態様において、突起（２５）は、同じ突起（２５）の横たわっている平面に対して垂直な正面視野にしたがって、三角形形状、正方形形状、長方形形状、台形形状、半円形状、楕円形状のうちから成るグループ内で選択される形状を有する。
【０１５７】
先の態様のうちのいずれか１つに係る第１４３の態様において、突起（２５）は、同じ突起（２５）の横たわっている平面に対して垂直な正面視野にしたがって、ストア（２）の自由縁（６）から延びる先細り形状、特に三角形形状を有し、突起（２５）の先細り形状は、閉鎖システム（７）の最初の閉状態中において容器（１）の最初の開状態前に、突起の触覚的な知覚を助けるように構成される。
【０１５８】
以下、添付図面を参照して、本発明の幾つかの実施形態及び幾つかの態様について、例示的に、したがって非限定的な態様で説明する。
【図面の簡単な説明】
【０１５９】
【図１】最初の開状態の前における閉状態で配置される本発明に係る容器の斜視図である。
【図２】最初の開状態の前における本発明に係る容器の斜視図である。
【図３】最初の開状態の前における本発明に係る容器の斜視図である。
【図４】本発明に係る容器を容器の最初の閉状態中において概略的に示す。
【図５】図４における容器の詳細図である。
【図６】本発明に係る容器の切断図を容器の最初の閉状態中において概略的に示す。
【図７】本発明に係る容器の切断図を容器の最初の閉状態下で概略的に示す。
【図８】図７における容器のＶＩＩＩ−ＶＩＩＩ線に沿ってもたらされる断面である。
【図９】本発明に係る容器の切断図を容器の最初の開状態中において概略的に示す。
【図１０】最初の開状態後における閉状態で配置される本発明に係る容器の斜視図である。
【図１１】本発明に係る容器を形成するためのブランクの最初の実施形態の平面図である。
【図１２】本発明に係る容器を形成するために図１１のブランクを折り曲げるステップを概略的に示す。
【図１３】本発明に係る容器を形成するために図１１のブランクを折り曲げるステップを概略的に示す。
【図１４】本発明に係る容器を形成するために図１１のブランクを折り曲げるステップを概略的に示す。
【図１５】本発明に係る容器を形成するために図１１のブランクを折り曲げるステップを概略的に示す。
【図１６】本発明に係る容器を形成するためのブランクの第２の実施形態の平面図である。
【図１７】圧縮状態で配置される本発明に係る容器の斜視図である。
【図１８】本発明に係る容器を形成するためのブランクの第３の実施形態の平面図である。
【図１９】本発明に係る容器を形成するために図１８におけるブランクを折り曲げるステップを概略的に示す。
【図２０】本発明に係る容器を形成するために図１８におけるブランクを折り曲げるステップを概略的に示す。
【図２１】本発明に係る容器の実施形態の変形の斜視図である。
【図２２】本発明に係る容器の実施形態の変形の斜視図である。
【図２３】本発明に係る容器を形成するためのブランクの第４の実施形態の平面図である。
【図２４】最初の閉状態の前における開状態で配置される本発明に係る容器の部分斜視図である。
【図２５】本発明に係る容器のその最初の閉状態中における部分斜視図である。
【図２６】最初の開状態の前における閉状態で配置される本発明に係る容器の部分斜視図である。
【図２７】最初の開状態の前における本発明に係る容器の斜視図である。
【図２８】最初の開状態の前における本発明に係る容器の斜視図である。
【図２９】本発明に係る容器を容器の最初の閉状態中において概略的に示す。
【図３０】本発明に係る容器の切断図を容器の最初の閉状態下で概略的に示す。
【図３１】図３０における容器のＸＸＸＩ−ＸＸＸＩ線に沿ってもたらされる断面である。
【図３２】本発明に係る容器の切断図を容器の最初の開状態中において概略的に示す。
【図３３】最初の開状態後における閉状態で配置される本発明に係る容器の斜視図である。
【図３４】最初の閉状態の前における本発明に係る容器の更なる斜視図である。
【図３５】最初の開状態の前における最初の閉状態で配置される本発明に係る容器の更なる斜視図である。
【図３６】本発明に係る容器を形成するためのブランクの第５の実施形態を表わす。
【図３７】本発明に係る容器を形成するためのブランクの第６の実施形態を表わす。
【図３８】本発明に係る容器を形成するためのブランクの第７の実施形態を表わす。
【図３９】本発明に係る容器を形成するために図３８のブランクを折り曲げる想定し得るステップに関する方式である。
【図４０】本発明に係る容器を形成するために図３８のブランクを折り曲げる想定し得るステップに関する方式である。
【発明を実施するための形態】
【０１６０】
不正開封防止容器
１は、一般に、製品を収容して支持するための不正開封防止容器を示す。この説明において、我々は、使用できる製品のタイプについて詳しく説明しない。これは、そのような容器１が、一般に、容器それ自体の閉鎖を確保するために製品の包装を行なうとともにこの容器の想定し得る不正開封の形跡を示すことができるようにする安全性を与える全ての分野で用途を見出すことができるからである。特に、本発明の容器対象物は、例えばタブレット又はピルを受けることができるディスペンサを形成するために、製薬分野及び化粧品分野において有利な用途を見出すことができる。事実上、そのような分野において、多少なりとも変質した無傷の製品を供給することが特に興味深く、その結果、想定し得る不正開封又は最初の開放の形跡を示すことができる容器の使用が興味深い。
【０１６１】
例えば図１〜図４及び図２７〜図３１において明らかなように、容器１は、製品、例えばタブレット、ピル、又は、ブリスター（製品は示されない）を収容するように構成される内容積部３を画定する少なくとも１つのストア（保管箱）２を備え、ストア２は、製品を収容して支持できる区画室にほぼ相当する。より具体的には、ストア２は、自由縁６によって境界が定められる少なくとも１つの通過開口５を画定する所定数の側壁４を備え、通過開口５は、ストア２の内容積部３と外部環境とを連通させるように構成される。添付の図は、非限定的な態様で、ストア２それ自体に対して互いに反対側に２つの貫通開口５を有するストア２の形態を示し、それにより、このストアは、横方向で前記壁４により境界付けられて縦方向の端部が開放される導管又はチューブを実質的に画定することができる。しかしながら、たった１つの通過開口５或いは更には３つ以上の数の開口５を有するストア２を形成する可能性は排除されない（この状態は添付の図に示されない）。
【０１６２】
添付の図は、長方形のプリズム形状を有するストア２の好ましいが限定しない形態を示す（平坦な側壁４が長方形形状を有する）。しかしながら、異なる形状、例えば正方形、台形、又は、円筒形の形状を有するストア２を形成する可能性は排除されない。図示のように、ストア２は、非限定的な態様で、主要展開方向にほぼ沿って延びるとともに、ストアの長さ及び幅に対して小さい厚さを有する。ストア２は、各製品の最大横サイズよりも大きい最小サイズ、この場合には厚さを有するように構成され、ストア２の最小サイズは、非限定的な態様で、７ｍｍよりも大きい（厚さは、変化可能であるとともに、収容される／支持されるべき製品及び量に基づいて適切に寸法付けられ得る）。本発明は、そのストア２が２００００ｍｍ３よりもかなり大きい、特に４００００〜２０００００ｍｍ３を成す内容積部を画定する小型の容器１を提供する。しかしながら、中型の製品を包装するために容器１、すなわち、本発明の対象物を使用することができ、そのような条件下において、ストア２は、５０００００ｍｍ３よりも大きい、特に８０００００〜１４０００００ｍｍ３を成す内容積部３を有することができる。しかしながら、大型製品を包装するための容器１、すなわち、本発明の対象物を使用する可能性は排除されず、そのような条件下において、ストア２は、先に明記された容積よりも大きい、例えば１００００ｃｍ３よりも大きい内容積部３を有する。
【０１６３】
例えば図１、図８、及び、図３１において明らかなように、ストア２は、通過開口５の自由縁６にほぼ配置される少なくとも１つの制御貫通開口２４を備えることができる。図１、図８、及び、図３１は、ストアの自由縁６から距離が隔てられる閉じられた周囲縁を画定する開口２４の形態を示し、開口２４は、非限定的な態様で、円筒形状（図１）、長方形形状（図２１）、楕円形状、又は、正方形形状を有する。或いは、開口２４は、自由縁６を少なくとも部分的に画定する開放周囲縁を有することができる（例えば、図２２参照）。すなわち、そのような形態では、開口２４が実質的に貫通凹部を備える。添付の図は、容器１の非限定的な形態を示し、この場合、開口２４は、その凹面がストア２の内容積部３の方を向く略「Ｖ」形状を有する。開口２４の特定の機能については以下で更に良く説明する。
【０１６４】
例えば図１、図５、図３３、及び、図３５において明らかなように、ストア２は、凹部２７を自由縁６に更に備えることができ、添付の図において明らかなように、凹部２７は、自由縁６と接触して、この自由縁で一種の窪みを画定する。好適には、凹部２７は、開口２４が更に存在するストア２の側壁４上に画定され、特に、以下で更に良く説明される容器１の閉鎖装置７に直接に隣接できる側壁４上に画定される。凹部２７は、その凹面がストア２の内容積部３の方を向く略「Ｃ」又は「Ｖ」又は「Ｕ」形状を成す開放した周囲輪郭を有する。寸法レベルで、凹部２７は、１ｍｍを超える、特に２〜１０ｍｍを成す最大深さを有する自由縁６の窪みを画定し、最大深さは、自由縁と凹部２７の底縁との間の最大距離によって表わされる。
【０１６５】
ストア２は、シート材料から形成されるとともに、例えば折り曲げによって得られる。本発明の好ましいが限定的ではない実施形態では、ストア２が紙シート材料（紙又は板紙）から形成され、特に、使用されるシート材料は、１００〜５００ｇｒ／ｍ２を成す、特に２００〜４００ｇｒ／ｍ２を成す坪量を有する。前述したように、容器１、特にストア２は、製薬分野、化粧品分野、及び、食品分野の製品を収容するために更に使用され得る。したがって、プラスチック材料コーティング、例えば膜によってストア２の内面を覆うことが有利となり得る。コーティングは、ストア２と複数の製品との間に介挿されるバリアを形成することを目的とし、コーティングは、このストアの構成要素を形成する紙材料のその後の歪みに伴うストアの構造の脆弱化及び損失を回避するのに役立つ水バリア及び／又は湿気バリアを画定するために更に使用され得る。好適には、コーティングは、例えば１０ｇｒ／ｍ２から５０ｇｒ／ｍ２まで変わり得るコーティング材料（言い換えると、ポリエチレン）の値を伴ってストア２を形成する紙材料の一方側（ストア２の内面）又は両側（ストア２の内面及び外面）に押し出しコーティングを備えることができる。コーティングプラスチック材料は、例えば、以下の材料、すなわち、ＬＤＰＥ、ＨＤＰＥ、ＰＰ、ＰＥの中から選択される材料を備えることができる。
【０１６６】
添付の図において明らかなように、容器１は、自由縁６で係合されてストア２に対して特に回転により移動できる同様にシート材料から形成される少なくとも１つの閉鎖システム７を更に備える。具体的には、閉鎖システム７は、システム７それ自体がストア２の内容積部３と外部環境との間の連通を阻止する少なくとも１つの閉状態（例えば、図１参照）を規定するように構成され、更に、閉鎖システム７は、システム７それ自体が内容積部３と外部環境との間の連通を可能にする少なくとも１つの開状態（例えば、図２、図２１、及び、図２２参照）を規定するように構成される。事実上、システム７は、内容積部３へのアクセスを管理するためにストア２と協働できるカバーにほぼ相当する。好適には、容器１は、ストア２のそれぞれの通過開口５ごとに閉鎖システム７を備える。添付の図には、非限定的な態様で、２つの貫通開口５を有する容器１の形態が示され、そのような条件下で、容器１は、ストア２のそれぞれの自由縁６と係合される２つの閉鎖システム７を有し、システム７は、ストアそれ自体に対して互いに反対側に配置される。好適には、閉鎖システム７は、非限定的な態様で、ストア２に対して特に自由縁６を用いて一体的に結合されるとともに、少なくとも閉状態と開状態との間でこの自由縁を中心に回転移動できる。
【０１６７】
より具体的には、閉鎖システム７は、ストア２の自由縁６と直接に係合されてストア２の自由縁６に一体に結合される閉鎖部９を有する少なくとも１つのタブ７を備え、閉鎖部９は、システム７それ自体の閉状態下で開口５を通じた通過を阻止するように構成されるタブ８の構成要素に相当する。添付の図において明らかなように、閉鎖部９は、開口５の自由縁６に対向形成される平坦なシート材料体を実質的に備える。添付の図は、自由縁６に対して完全に対向形成される長方形形状を有する閉鎖部９の好ましい形態を概略的に示す。
【０１６８】
また、タブ８は、システム閉状態下でストア２の内容積部３内に挿入するように構成される少なくとも１つの挿入部１０を有する。挿入部１０は、閉鎖部９に一体的に結合されるとともに、この閉鎖部からストア２の反対側に表出する。すなわち、挿入部１０は、システム７の閉状態下でストア２内に挿入され得る閉鎖部９の延在部にほぼ相当する。添付の図において明らかなように、挿入部１０も、非限定的な態様で長方形形状を有するシート材料から形成される略平坦な本体を備える。例えば図８の断面図において明らかなように、挿入部１０は、それぞれ外側の方を向く（ストア２の側壁４の方を直接に向く）及びストア２の内容積部３の方を向く第１及び第２の主要展開面１０ａ，１０ｂ間で延びる。システム７の閉状態下で、挿入部１０の第１の展開面１０ａの少なくとも１つの部分は、ストア２の側壁４の一部の方を直接に向き、特に接触する。すなわち、面１０ａは、少なくとも部分的に、ストア２の壁４と平行であり、特にシステム７に直接に接続される壁（ストア２の後側壁としても規定できる）とは反対側のストア２の前壁と平行である。
【０１６９】
閉鎖部９及び挿入部１０は、閉鎖部９それ自体に対してストア２の自由縁６とは反対側に相互接続縁を有する。すなわち、挿入部１０は、前記相互接続縁の周りで閉鎖部９に対して回転移動できる。例えば図８において明らかなように、挿入部１０は、システム７の閉状態下で、断面によれば、閉鎖部９と協働して、略「Ｌ」形状を規定するように構成される。すなわち、そのような状態下で、挿入部１０は１つのストア２の側壁４と略平行に延びる。
【０１７０】
例えば図２〜図５、図２１〜図２５、図２７、及び、図３４において明らかなように、閉鎖システム７は、タブ８と隣接してストア２の自由縁６と係合される少なくとも１つの当接部１１を更に備える。すなわち、当接部１１は、閉状態下で、このタブと協働して前記閉状態でタブを安定して保持するために内容積部３とタブ８との間に介挿されるように構成される。当接部１１は、閉鎖部９に隣接してストア２の自由縁６に一体的に結合されるシート材料から形成される平坦なタブを実質的に備える。当接部１１は、非限定的な態様で、長方形形状又は台形形状を有する。また、当接部１１は、少なくとも容器１の閉状態下でストア２の内側の方を向くために自由縁６の周りで回転するように構成される。
【０１７１】
特に、当接部１１は、容器１の閉状態下で挿入部１０及び／又は閉鎖部９の少なくとも一部と係合して前記状態でタブ８を安定して保持できるように自由縁６に拘束される。
【０１７２】
好適には、容器１は、タブ８に対して互いに反対側にある２つの当接部１１を備える。すなわち、このタブは２つの当接部１１間に介挿される。そのような形態（例えば図２〜図５及び図２１〜図２５）において、２つの当接部１１は、閉状態においてタブを安定して保持するためにタブ８に対称的に作用する。
【０１７３】
前述したように、ストア２は制御貫通開口２４を備え、例えば図８において明らかなように、制御開口２４は、挿入部１０、特に前記挿入部１０の第１の面１０ａの方を直接に向くように構成される側壁４上に配置される。したがって、制御開口２４は、第１の面１０ａと近接して配置されるとともに、容器１の決定された動作状態においてこの第１の面１０ａを視認できるように構成され、これについては以下に更に良く記載される。開口２４は、（これに加えて或いは代えて）以下に更に良く記載されるように、挿入部１０及び挿入部のストア２内への正確な挿入を視認できるようにするべく構成され得る。
【０１７４】
また、前述したように、ストア２は凹部２７を備え、例えば図５及び図２９において明らかなように、凹部２７は、挿入部１０、特に前記挿入部１０の第１の面１０ａの方を直接に向くように構成される側壁４上に配置される。したがって、凹部２７は、第１の面１０ａと近接して配置されるとともに、容器１の決定された動作状態においてこの第１の面１０ａを視認できるように構成され、これについては以下に更に良く記載される。
【０１７５】
添付の図において明らかなように、閉鎖システム７は、非限定的な態様で、システムそれ自体の閉状態下で自由縁６に、特に凹部２７に配置されるように構成される貫通開口２６を備えることができる。事実上、貫通開口２６は、閉鎖システム７の閉状態下で、ストア２の凹部２７に配置される（図３３）。すなわち、特に、そのような状態下で、開口２６及び凹部２７は、相互に向き合うとともに、少なくとも部分的に互いに対向形成される。
【０１７６】
添付の図において明らかなように、貫通開口２６は、特に、以下の形状、すなわち、長方形、正方形、円形、楕円形、半円形、三角形のうちのグループ内で選択される少なくとも１つの形状を有する閉じられた周囲輪郭を画定する。貫通開口２６は、タブ８の閉鎖部９に及び／又は挿入部１０に形成される。本発明の好ましいが非限定的な実施形態において、貫通開口２６は、途切れることなく、タブ８の閉鎖部９に少なくとも部分的に及び挿入部１０に少なくとも部分的に画定される。すなわち、開口２６は、実質的にタブ８の部分９，１０の折り曲げ線上で画定される（図３０）。
【０１７７】
本発明の好ましいが限定的ではない実施形態において、システム７は、少なくとも部分的に、特に全体的に、紙シート材料（紙又は板紙）から形成され、使用されるシート材料は、１００〜５００ｇｒ／ｍ２を成す、特に２００〜４００ｇｒ／ｍ２を成す坪量を有する。随意的に、システム７の実施形態のために使用される紙シート材料は、ストア２の実施形態のために使用されるようなシート材料であり、特に、それらはいずれも１つの紙材料シートのみから得られる。前述したように、容器１は、製薬分野、化粧品分野、及び、食品分野の製品を収容するために使用することもできる。そのような状態下では、プラスチック材料コーティング、例えば膜によってシステム７の内面を覆うことが有利となり得る。コーティングは、システム７と製品との間に介挿されるバリアを画定することを目的とし、更に、コーティングは、このシステムの構成要素を形成する紙材料の結果として起こる歪みに伴うシステムの構造の脆弱化及び損失を回避するのに役立つ水バリア及び／又は湿気バリアを画定することができる。また、閉鎖システムの構造損失又は単純な歪みがシステム７の機能性を損ない、したがってストア２の正確な閉鎖を妨げる可能性があることが留意される。好適には、コーティングは、例えば１０ｇｒ／ｍ２から５０ｇｒ／ｍ２まで変わり得るコーティング材料（言い換えると、ポリエチレン）の値を伴ってシステム７を形成する紙材料の一方側（システム７の内面）又は両側（システム７の内面及び外面）の押し出しコーティングとなり得る。コーティングプラスチック材料は、例えば、以下の材料、すなわち、ＬＤＰＥ、ＨＤＰＥ、ＰＰ、ＰＥの中から選択され得る。
【０１７８】
例えば図２〜図５及び図２７〜図２９において明らかなように、容器１は、この容器の最初の閉状態後にストア２と少なくとも部分的に及び閉鎖システム７と少なくとも部分的に安定して係合できるシート材料から形成される少なくとも１つの安全装置１２を更に備える。事実上、安全装置１２は、最初の閉状態後にストア２から及び／又は閉鎖システム７から表出する触覚的に知覚できる突起２５（図２７〜図２９）を形成するように構成される少なくとも１つの除去可能部１５を備える。すなわち、除去可能部１５は、突起２５と共に、容器１の不正開封の形跡を与えるために最初の閉状態後の閉鎖システム７の最初の開状態後に安全装置１２から分離するように構成される。
【０１７９】
特に、除去可能部１５の突起２５は、閉鎖システム７の最初の閉状態下において容器１の最初の開状態前に、挿入部１０と平行な平面上に位置するとともに、ストア２の自由縁６から特に閉鎖部９に対して横方向に突出する。更に一層とりわけ、突起２５は、閉鎖システム７の最初の閉状態下において容器１の最初の開状態前に、凹部２７に配置してこの凹部の傍らに及び／又はストア２の自由縁６の傍らに表出するように構成される。
【０１８０】
事実上、突起２５は、閉鎖システム７の最初の閉状態下において容器１の最初の開状態前に、タブ８の閉鎖部９と同一の平面内にほぼとどまるように構成され或いは前記閉鎖部９から横方向に表出するように構成され、とにかく、突起２５は、いずれの形態においても、突起を被閉鎖部９から、自由縁６から、及び、凹部２７から区別できるように触覚的に知覚できる。
【０１８１】
幾何学的な観点から、突起２５は、突起２５それ自体の横たわっている平面に対して垂直な正面視野にしたがって、三角形形状、正方形形状、長方形形状、台形形状、半円形状、楕円形状のうちから成るグループ内で選択される形状を有する。容器１の好ましいが非限定的な実施形態において、突起２５は、突起２５それ自体の横たわっている平面に対して垂直な正面視野にしたがって、ストア２の自由縁６から延びる先細り形状、特に三角形形状を有する。すなわち、突起２５の先細り形状は、閉鎖システム７の最初の閉状態中において容器１の最初の開状態前に、突起の触覚的な知覚を助けるように構成される。定量的な観点から、突起２５は、１ｍｍを超える、特に１〜１０ｍ、更に特に１〜７ｍｍの程度まで自由縁６の傍らで延びる。少なくともストア２の自由縁６に対する突起の先細り形状及び高さは、例えばタブ８の閉鎖部９上で指を通過させることによって同じ突起の容易な速い触覚的な知覚を可能にする。
【０１８２】
添付の図は、タブ８により及び／又は当接部１１により支持される少なくとも１つの第１の結合部１３と、ストア２と係合される少なくとも１つの第２の結合部１４とを有する安全装置１２の好ましいが非限定的な実施形態を示す。第１及び第２の結合部１３，１４は、閉鎖システム７の最初の閉状態中に、言い換えると、ストア２内への挿入部１０の最初の挿入が存在するシステム７の最初の絶対閉鎖中に、互いに安定して係合するように構成される。添付の図において明らかなように、第２の結合部１４は、ストア２の内部に配置されるとともに、側壁４のうちの１つと平行な平面内にほぼ位置する。すなわち、システム７の閉状態下において、第１の結合部１３は、第２の結合部１４と安定して係合するためにストア２の内容積部３内に少なくとも部分的に挿入するように構成される。第１及び／又は第２の結合部１３，１４は、突起２５を支持する少なくとも１つの除去可能部１５を備え、除去可能部１５は、容器１の不正開封の形跡を与えるために、前記最初の閉状態後、閉鎖システム７の最初の閉状態後に安全装置１２から分離するように構成される。添付の図は、非限定的な態様で、第１の結合部１３が閉鎖システム７のタブ８と係合される、特に閉鎖システム７のタブ８により直接に支持される（或いは、第１の結合部１３が少なくとも１つの当接部１１により更に支持され得る）容器１の形態を示す。好適には、第１の結合部１３は、タブ８の挿入部１０によってのみ支持されるが、限定的な態様ではない。すなわち、２つの部分１０，１３は、好適には、互いに一体に結合されて、１つだけの体を成す。事実上、第１の結合部１３は、特に途切れることなく閉鎖部９とは反対側で挿入部１０から表出する平坦なシート体を備える。したがって、挿入部１０は、閉鎖部９と結合部１３との間に介挿される。第１の結合部１３は、システム７の閉状態下で、したがってストア２内への挿入部１０の挿入中に、内容積部３内へも挿入するように構成される。
【０１８３】
第１の結合部１３のシート材料本体は、挿入部１０の第１及び第２の面１０ａ，１０ｂの同じ方向をそれぞれ向く第１及び第２の主要展開面１３ａ，１３ｂ（図８）間で延びる。すなわち、第１の面１０ａ，１３ａは、互いの連続部分であり、システム７に直接に接続される側壁４とは反対側のストア２の同じ側壁４の方を直接に向く。第２の面１０ｂ，１３ｂも、互いに連続部分であり、ストア２の内容積部３の方を向く。
【０１８４】
より具体的には、第１の結合部１３は、把持縁２１によって境界が定められる少なくとも１つのアンダーカット部２０を備える。すなわち、アンダーカット部２０は、容器１の最初の閉状態下で、ストア２の内部に配置される第２の結合部１４と係合するように構成される）（特に、第２の結合部はストア２内に完全に収容される）。
【０１８５】
例えば図５、図２１、及び、図２２において明らかなように、アンダーカット２０は、座部２３を画定する少なくとも１つのフック２２を備え、座部２３の凹面は、少なくとも装置１２の最初の閉状態中に、ストア２の側壁４のうちの少なくとも１つの方を向く、特に閉鎖システム７の当接部１１の方を向く。アンダーカット部２０の座部２３は略「Ｃ」形状を画定する。すなわち、それぞれの把持縁２１は、システム７の最初の閉鎖状態下でストア２の自由縁６の方を向く前記座部２３の部分の境界を定める。
【０１８６】
添付の図は、第１の結合部１３それ自体に対して互いに反対側にある２つのフック２２を実質的に備える第１の結合部１３の好ましいが非限定的な形態を示す。したがって、そのような状態下において、第１の結合部１３は、少なくとも容器１の最初の閉状態下でいずれも第２の結合部１４と係合するように構成される２つのそれぞれのアンダーカット部２０を備える。２つのアンダーカット部２０は、その凹面が互いから離れる方向を向くそれぞれの座部２３を備える。すなわち、座部の凹面は、それぞれのストア２の当接部１１の方を向く。２つのアンダーカット２０の存在は、第２の結合部１４に対する二重対称グリップを実質的に画定し、この二重対称グリップは、前記第１及び前記第２の結合部１３，１４間の結合をより効果的にして安定させる。
【０１８７】
前述したように、装置１２の第２の結合部１４は、ストア２の内側に直接に係合される。特に、第２の結合部１４は、少なくとも１つのストア２の側壁に直接に接続されるとともに、この側壁と平行に延びる。すなわち、結合部１４は、少なくともシステム７の閉状態中に挿入部１０の方を直接に向くように構成される側壁と平行に展開する。事実上、結合部１４は、閉鎖システム７に直接に接続される（一体に結合される）壁とは反対側の側壁４と平行に延びる。
【０１８８】
例えば図２、図４、図２４〜図２６において明らかなように、第２の結合部１４は、ストア２に一体結合され、特に少なくとも１つのストア２の側壁に一体結合される。第１の結合部１３に関する場合と同様に、第２の結合部１４も、特に途切れることなくストア２の側壁４から表出する平坦なシート材料体を備える。すなわち、第２の結合部１４は、１つ以上のストア２の側壁４の内側に係合され、特に一体結合されるシートを実質的に画定する。第２の結合部１４のシート材料体は、ストア２の外側及び内側の方をそれぞれ向く第１及び第２の主要展開面１４ａ，１４ｂ（図８）間で延びる。すなわち、結合部１４の第１の面１４ａは、少なくともシステム７の閉状態下で、第１の面１０ａ，１３ａと平行で且つ第１の面１０ａ，１３ａのように面する（第１の面１０ａ，１３ａ，１４ｄは、システム７に対して直接に接続される側壁４とは反対側のストア２の側壁４の方を直接に向く）。
【０１８９】
添付の図に示される形態において、第２の結合部１４は、非限定的な態様で、突起２５により支持されてストア２の側壁４の方をそれぞれ向く第１及び第２の面１５ａ，１５ｂ（図８）間で延びるシート材料から形成される除去可能部１５を備える。すなわち、除去可能部１５の面１５ａ，１５ｂは、第２の結合部１４の面１４ａ，１４ｂの延長部分にほぼ相当し、一方、突起は、結合部１４とは反対側に配置される除去可能部のそれぞれの延長部分に相当する。
【０１９０】
除去可能部１５は、安全装置１２の最初の閉状態下で第１の結合部１３のそれぞれのアンダーカット部２０と係合するように構成される少なくとも１つのアンダーカット部１６を備える。除去可能部１５のアンダーカット部１６は把持縁１７によって境界が定められ、把持縁１７は、容器１の最初の閉状態下で、ストア２の自由縁６とは別個であり、ストア２の自由縁６から距離が隔てられる。すなわち、アンダーカット部１６は、最初の閉状態下で除去可能部１５が第１の結合部１３のそれぞれのアンダーカット２０と係合できるように、ストア２の内側（ストアの完全に内側）にあるとともに、通過開口５から距離が隔てられる（自由縁６から距離が隔てられる）。特に、把持縁１７は、容器１の最初の閉状態下で、ストアの自由縁６から２ｍｍよりも大きい、特に３ｍｍよりも大きい、更に一層とりわけ３．５〜１２ｍｍを成す最小距離Ｄ１（図８）を有する。
【０１９１】
例えば図５及び図２４において明らかなように、除去可能部１５のアンダーカット部１６は、その凹面がストア２の側壁４のうちの少なくとも１つの方を向く座部１９を画定する少なくとも１つのフック１８を備える。特に、座部１９は略「Ｃ」形状を有する。すなわち、把持縁１７は、ストア２の自由縁６の方を向く座部１９の部分を画定する。更にとりわけ、容器１の最初の閉状態下で除去可能部１５の把持縁１７がストア２の自由縁６と第１の結合部１３のそれぞれの把持縁２１との間に介挿されることに気付くことができる。
【０１９２】
添付の図は、非限定的な態様で、除去可能部１５それ自体に対して互いに反対側に配置される２つのアンダーカット１６を有する除去可能部１５の形態を表わす。すなわち、それぞれの座部１９の凹面は、互いに反対側にあって、ストア２のそれぞれの当接部１１の方を向く。第１の結合部１３に関連して、代わりに、容器１の最初の閉状態下で除去可能部１５の座部１９の凹面が第１の結合部１３のそれぞれのアンダーカット部２０の座部２３の凹面の方を向くことに気付くことができる。
【０１９３】
前述したように、安全装置１２の第１及び第２の結合部１３，１４は、前記結合部間の最初の係合／結合によりほぼ規定される最初の閉状態を規定するように構成される。最初の閉状態の前においては、第１の結合部１３が内容積部３の外側に配置される一方で、第２の結合部１４がストア２の内側に位置する（この状態が図２、図３、図２４に示される）。その後、例えば図４、図５、図６、及び、図２５に示されるように、閉鎖システム７が初めてストア２の内側で案内される。すなわち、そのようなステップ中、システム１２が容器１の閉状態を規定するように構成されると同時に、第１及び第２の結合部１３，１４間で最初の係合が存在する。事実上、容器１の最初の閉状態中、除去可能部１５のフック１８が第１の結合部１３のフック２２と係合する。この最初の閉状態が図１、図７、図８、及び、図２６に示される。特に、また、最初の閉状態中において、第１の結合部１３のシート材料体は、その後に座部１９を通過してストア２の側壁４と第２の結合部１４との間に介挿されるべく、除去可能部を最初に後方へスライドさせるように構成される（除去可能部１５は、第１の結合部１３とストア２の側壁４との間に介挿される）。別の方法として、結合部は、その後に座部１９を通過するために除去可能部１５を最初に前方へスライドさせることができる。すなわち、そのような状態下で、第２の結合部１４は、ストア２の側壁４と第１の結合部１３との間に介挿される。
【０１９４】
容器１の最初の閉状態が図１、図７、図８、図２６、及び、図３０に概略的に示される。そのような状態下で、除去可能部１５のフック１８は、第１の結合部１３のフック２２と当接してフック２２と安定して係合される。すなわち、そのような状態下では、第１の結合部１３が除去可能部１５の座部１７の内側に完全に挿入されるとともに、それぞれのアンダーカット１６，２０が結合部１３，１４間の安定した係合状態を規定する。
【０１９５】
除去可能部１５により支持される突起２５は、装置７の最初の閉状態下において容器１の最初の開状態の前に、把持縁１７から距離が隔てられるとともに、除去可能部１５に対して把持縁１７とは反対側に配置され、特に、突起２５は、除去可能部１５に対して把持縁とは反対側で表出するとともに、前述したようにストア２の自由縁６から表出する。事実上、第２の結合部１４は、装置の最初の閉状態下において容器１の最初の開状態の前に、除去可能部１５と共に内容積部３の完全に内側にとどまる。すなわち、除去可能部１５の突起２５のみが特にストア２の自由縁６の傍らで内容積部３から少なくとも部分的に表出する。
【０１９６】
結合部１３を挿入する態様に基づいて、除去可能部１５をストア２の側壁４とタブの挿入部１０との間に介挿できる（図８に示される状態）或いは除去可能部１５をタブ８の挿入部１０の背後で内容積部３の内部に配置できることに留意することが有益である。
【０１９７】
除去可能部１５がストア２の側壁４とタブ８の挿入部１０との間に配置される場合、突起２５は、装置７の最初の閉状態下において容器１の最初の開状態の前に、挿入部１０の方を直接に向いてタブ８とストアの側壁４との間で自由縁６から表出する。逆もまた同様であり、除去可能部１５が挿入部１０の背後にとどまるべき場合、突起２５は、タブ８の貫通開口２６の内部に配置されるように構成され、好ましくは、そのような状態下で、突起２５は、貫通開口２６を少なくとも部分的に通過した後、ストア２の自由縁６から表出し、場合によりタブ８の閉鎖部９からも表出する（図３１）。
【０１９８】
前述したように、ストア２は、自由縁６の窪みを実質的に画定できる凹部２７（好ましくは安全装置１２の第２の結合部１４と平行であって挿入部１０の方を直接に向く側面４により支持される）を更に備えることができ、凹部２７は、最初の閉状態後において開状態の前に突起２５が自由縁６から表出するのを助けることができるようにする。事実上、凹部２７は、突起２５を目に見えるようにすること及び突起２５の触覚的な知覚を与えることをいずれも行なうことができるようにし得る。
【０１９９】
代わりに制御開口２４に関連して、制御開口が安全装置１２の第２の結合部１４と平行な側壁４により支持されること（例えば図１及び図２参照）に留意することが有益であり、制御開口２４は、好適には、安全装置１２の除去可能部１５に及びタブ８の挿入部１０に配置される。特に、制御開口２４は、凹部２７を支持する同じ側壁４に配置される。すなわち、制御開口２４は、凹部２７とは別個であって凹部２７から距離を隔てられるとともに、特に前記開口２４によりも下方に配置される。制御開口２４は、容器１の最初の開状態の前（容器１の最初の閉状態中）に除去可能部１５、特に第１の面１５ａを目に見えるようにするべく構成され、制御開口２４は、容器１の不正開封の視覚的な形跡を示すために容器１の最初の開状態の後に挿入部１０、特に第１の面１０ａを目に見えるようにするべく更に構成される。本発明の好ましいが非限定的な実施形態において、制御開口２４は、除去可能部１５を外側から目に見えるようにする及び／又は安全装置１２の正確な係合（装備）及び特に第１の結合部１３と第２の結合部１４との正確な挿入／係合、したがって装置１２の正確な装備を目に見えるようにするべく構成される。
【０２００】
前述したように、安全装置１２は、不正開封の形跡を示すように更に構成され、特に、除去可能部１５と第１の結合部１３との係合は、容器１の開放に抵抗するストア２と閉鎖システム７との間の安定した係合を規定して（ユーザは、最初の開放時に、容器開放に対する実質的な抵抗に気付く）この容器が未だ開放されてしまっていないという証を与える。安全装置１２は、最初の開状態中に、第１の除去可能部１５、したがって突起２５を第２の結合部１４から分離できるようにするべく構成される。最初の開状態が例えば図９に示される。システム７の最初の開状態中、第１の結合部１３は、除去可能部１５を把持して（フック１８，２２間の把持）、除去可能部を第２の結合部１４から引き裂く。
【０２０１】
最初の開状態後、装置１２は、システム７の開放が更に容易であるため、不正開封の形跡を与えることができる。すなわち、ユーザは、開放中、挿入部１０に作用する抵抗を知覚しない（除去可能部１５の不存在が明らかである図１０及び図２２参照）。また、最初の開状態後、制御開口２４は、除去可能部１５の代わりに挿入部１０を目に見えるようにすることができる（或いは、制御開口は、ストア２の内容積部を目に見えるようにすることができる）。すなわち、そのような状態下で、ユーザは、容器を開放するべく準備することなく、容器１が不正開封されてしまったことを認識できる。好適には、除去可能部１５及び挿入部１０の面１５ａ，１０ａをそれぞれ差別化することにより、前記面を認識して不正開封の形跡を強めることを更に容易にすることができる。例えば、２つの異なる色の面１５ａ，１０ａを与えることができる。そのようにすると、ユーザは、除去可能部１５ではなく挿入部１０の色を認識するだけで容器１の不正開封を検出できる。容器１の不正開封を視覚的にチェックできる可能性以外に、容器は、突起２５の触覚的な知覚がないことにより最初の開放の証を与えることができる。すなわち、このようにすると、視覚障害者も不正開封が行なわれてしまったことをチェックできる。
【０２０２】
前述したように、突起２５は、ストア２の自由縁６から（又は、単に凹部２７及び／又は貫通開口２６からも）表出するように構成される。容器１の最初の閉状態下において最初の開放ステップの前に、突起２５は、ストアの内部にも配置される除去可能部１５により支持される。すなわち、そのような状態下で、突起は、自由縁６から表出して触覚的に容易に知覚できる。
【０２０３】
容器１の最初の開放後、除去可能部１５がストア２から（より一般的には容器１から）分離し、また、それと共に突起２５も分離し、そのため、もはや触覚的に知覚できない。突起２５の欠如は、視覚的な証がなくても容器が不正開封されてしまったという証を直ちに与えることができる。
【０２０４】
図３１及び図３３は、ストア２及び／又は閉鎖システム７によって直接に支持されるシート材料の制御部２８を備える安全装置１２の更なる実施形態を示し、制御部２８は、システム７の最初の閉鎖後であって容器１の最初の開状態前に挿入部１０が前記制御部２８と挿入部１０に直接に隣接するストア２の側壁４との間に介挿されるように挿入部１０の背後に配置するように構成される。そのような状態下で、制御部２８は、ストア２内に完全に収容されるとともに、除去可能部１５によって直接に覆われる。具体的には、制御部２８は、突起２５の直ぐ背後及び自由縁６から表出する突起部の直ぐ背後に配置するように構成される。事実上、制御部２８の先端は、ストアの自由縁６で内容積部３の内側にとどまるように構成される。制御部２８の先端に、制御部は、貫通開口２６を介して外側から接触できるキャビティ２９を有する。より具体的には、キャビティ２９は、タブの閉鎖部９の方を向く、言い換えると、内容積部３とは反対の方を向く凹面を有する開放した輪郭を画定する。更に一層とりわけ、制御部２８のキャビティ２９の開放した輪郭は、「Ｕ」輪郭、「Ｖ」輪郭、「Ｃ」輪郭のうちのグループ内で選択される輪郭を画定する。
【０２０５】
制御部２８は、挿入部１０が前記制御部２８と挿入部１０に隣接するストア２の側壁４との間に介挿されるように容器１の最初の開状態後に挿入部１０の背後に配置するように構成され、そのような状態下で、制御部２８は、ストア内に完全に収容されて、閉鎖システム７の貫通開口２６の方を向く。すなわち、突起２５がなければ、制御部２８のキャビティは、貫通開口２６を介して外側から接触可能であるとともに、除去可能部１５の欠如を確かめるため、したがって、容器１の不正開封の形跡を示すために、触覚的に知覚できる。事実上、開口２６を通じたキャビティ２９の触覚的な知覚は、突起２５の欠如、特に除去可能部１５の欠如を裏付けることができ、したがって、容器１の不正開封の形跡を示すことができる。
【０２０６】
添付の図に示される実施形態において、制御部２８は、非限定的な態様で、ストア２によって直接に支持されるとともに、第２の結合部１４と平行に位置するシートを備え、特に、制御部２８は、非限定的な態様で、安全装置１２の第２の結合部１４に対して平行に一体的に結合される。
【０２０７】
本発明の好ましいが非限定的な態様の実施形態において、装置１２（部分１３，１４，１５）は、少なくとも部分的に、特に全体的に、紙シート材料（紙又は板紙）から形成され、使用されるシート材料は、１００〜５００ｇｒ／ｍ２を成す、特に２００〜４００ｇｒ／ｍ２を成す坪量を有する。随意的に、装置１２を形成するために使用される紙シート材料は、ストア２及び閉鎖システム７を形成するために使用されるようなシート材料であり、特に、それらは全て１つの紙材料シートのみから得られる。前述したように、容器１は、医薬製品、化粧製品、及び、食製品を収容するために使用することもできる。そのような状態下では、プラスチック材料コーティング、例えば膜によって装置１２の内面を覆うことが有利となり得る。コーティングは、装置１と製品との間に介挿されるバリアを画定することを目的とし、更に、コーティングは、装置１２を形成する紙材料の結果として起こる歪みに伴う脆弱化及び構造損失を回避するのに役立つ水バリア及び／又は湿気バリアを画定することができる。好適には、コーティングは、例えば１０ｇｒ／ｍ２から５０ｇｒ／ｍ２まで変わり得るコーティング材料（言い換えると、ポリエチレン）の値を有する安全装置を形成する紙材料の一方側（装置１２の内面）又は両側（装置１２の内面及び外面）の押し出しコーティングとなり得る。コーティングプラスチック材料は、例えば、以下の材料、すなわち、ＬＤＰＥ、ＨＤＰＥ、ＰＰ、ＰＥの中から選択され得る。
【０２０８】
前述の解決策が容器１の好ましいが非限定的な形態に相当することを明記することは有益である。確かに、除去可能部１５は、第１及び／又は第２の結合部１３，１４の少なくとも一部を等しく形成し得る。例えば、除去可能部１５は、第１の結合部１３のそれぞれのアンダーカット２０、したがってフック２２を画定することができ、そのような場合、最初の容器開放中に、除去可能部１５が第１の結合部１３から分離するように構成される。前述したように、少なくとも１つの除去可能部１５を第１の結合部１３に画定するとともに少なくとも１つの除去可能部を第２の結合部１４に画定する可能性は排除されない。
【０２０９】
添付の図に示されない更なる実施形態において、安全装置１２は、少なくとも一部が紙及び／又はプラスチック材料から形成されるシート材料タブを備える。すなわち、タブは、容器１と、この容器の閉状態後、特にシステム７の最初の閉状態後に外側で係合できる。依然として容器１の最初の閉状態を参照すると、容器の最初の開状態前において、タブは、タブ８の閉鎖部９と安定して係合される少なくとも１つの第１の抑制部と、ストアの側壁と安定して係合される、特にシステム７の閉状態下で挿入部１０の方を直接に向いて挿入部１０に隣接する壁と安定して係合される少なくとも１つの第２の抑制部とを備える。好適には、第１及び第２の抑制部は、容器１の外側に安定して接着される。
【０２１０】
また、タブは、一方側で第１の抑制部と係脱可能に係合されるとともに反対側でタブの第２の抑制部と係脱可能に係合される少なくとも１つの除去可能部１５を備える。容器１と外側で係合するタブは、「Ｌ」輪郭を画定するとともに、ストア２から及び／又は閉鎖システム７から表出する少なくとも１つの触覚的に知覚できる突起２５を画定する。突起２５は、例えば、閉鎖部９から横方向に、特に垂直に表出できるとともに、前述の形状のうちの１つ（例えば、三角形、正方形、長方形、半円）を有することができる。最初の閉状態後であって容器１の最初の開状態前におけるタブの除去可能部１５は、閉鎖システム７の挿入部１０の少なくとも一部に配置されてこれを覆う。
【０２１１】
除去可能部１５は、突起２５と共に、タブの脆弱な事前に切り欠かれた部分を形成する脆弱ラインによって前記第１及び第２の抑制部とだけ係合される。言い換えると、除去可能部１５は（突起と共に）、容器１に対して直接に拘束されず、第１及び第２の抑制部とだけ直接に係合される。
【０２１２】
除去可能部１５は、突起２５と共に、容器１の不正開封の形跡を与えるために前記前述の最初の閉状態後であって閉鎖システム７の最初の開状態後に第１及び第２の抑制部から分離するように構成される。
【０２１３】
特に、容器１、したがってシステム７の最初の開状態中、抑制部は、ストア２及び閉鎖部９と係合され（接着され）たままであるように構成され、除去可能部１５はストア２及びシステム７に対して直接に拘束されない。すなわち、除去可能部１５の周囲でタブに存在する脆弱ラインは、タブの破壊と、それぞれの拘束部からの前記除去可能部１５の分離とを引き起こす。前述したように、除去可能部１５は、タブから分離するともはや触覚的に知覚できない突起２５を支持する。したがって、容器の最初の開放後、タブは、除去可能部２５の欠如、したがって突起２５の欠如によって不正開封の形跡を示すことができる。
【０２１４】
不正開封防止容器を形成するプロセス
また、本発明の対象は、不正開封防止容器１を形成するためのプロセスである。まずプロセスは、前述したようにシート材料、随意的に紙から形成されるストア２を事前配置するようにする。特に、そのようなステップは、中央接続部分５３により相互に接続される少なくとも１つの第１の及び１つの第２の部分５２，５４を備える少なくとも１つの第１のシート５１を事前配置するようにする。第１のシート５１は、少なくとも１つの第１の及び１つの第２の外側接続部分５５，５６を更に備える。例えば図１１、図１２、図１６、図１８、図３６〜図３８において明らかなように、中央接続部分５３は、第１及び第２の部分５２，５４間に介挿され、第１の部分５２は、第１の外側接続部分５５と中央接続部分５３との間に介挿され、一方、第２の部分５４は、第２の外側接続部分５６と中央接続部分５３との間に介挿される。前記部分５２，５３，５４，５５，５６は、少なくとも２つの縦両縁及び２つの端部両縁を備える。すなわち、部分５２，５４、中央接続部分５３、及び、前記外側接続部分５５，５６は、縦縁に沿って結合されるとともに、１つの接続方向のみに沿って一直線に合わせされる。
【０２１５】
本発明の好ましいが非限定的な形態において、第１のシート５１の第１の部分５２は、下縁５２ａ、第１及び第２の側縁５２ｂ，５２ｃ、及び、上縁５２ｄによって周囲が境界付けられる長方形形状を有する。同様に、第１のシート５１の第２の部分５４は、下縁５４ａ、第１及び第２の側縁５４ｂ，５４ｃ、及び、上縁５４ｄによって周囲が境界付けられる長方形形状を有する。好適には、第１及び第２の部分５２，５４は、ほぼ同じ形状及びサイズを有するシートを備える。中央部分５３及び外側接続部分５５，５６も長方形形状を有し、そのような部分は、実質的に同じ形状及び／又はサイズを有するとともに、側縁で第１のシートの部分５２，５４に一体的に結合される。
【０２１６】
ストア２を事前配置するステップは、部分５２，５４の側縁で第１のシート５１を折り曲げるステップを与える。ストア２を形成するステップは、図１２〜図１５、図３９、図４０に概略的に示されるとともに、最初に、外側接続部分、例えば部分５５を第１の部分５２に対して折り曲げて第２の部分５４へ近づけるようにする（図１２及び図４０）。すなわち、例えば、縦接続部分５５をこの接続部分が部分５２と協働して略「Ｌ」形状を画定できるように折り曲げるようにすることができる。その後、プロセスは、例えば、中央部分５３を第１の部分５２に対して折り曲げて既に折り曲げられた部分５５へ近づけるようにする（例えば図１３参照）。すなわち、例えば、中央部分５３をこの中央部分が部分５２と協働して略「Ｌ」形状を画定できるように折り曲げるようにすることができる。引き続いて、例えば、第２の部分５４を中央部分５３に対して折り曲げて第１の部分５２へ近づけるようにすることができる（例えば図１４参照）。すなわち、例えば、第２の中央部分５４をこの部分が中央部分５３と協働して略「Ｌ」形状を画定できるように折り曲げるようにすることができる。ストア２を完全に形成するために、プロセスは、残りの縦接続部分、例えば部分５６を、前記外側接続部分５５，５６を結合することができるように第２の部分５４に対して折り曲げるようにする。ストア２を折り曲げられた三次元形状に保つために、プロセスは、非限定的な態様で、互いに当接できる縦接続部分５５，５６のみに所定量の接着７２を塗布するようにすることができる（図１５）。すなわち、前記部分を結合することにより、ストア２を折り曲げ形態で固定できる。
【０２１７】
第１のシート５１を事前配置するステップが、前記第１のシート５の部分の縦側縁と一致する折り曲げラインを同じシート上で画定できるようにするパッキングステップを与えることができることを明記することは有益である。事実上、第１のシート部分を折り曲げるステップは、シート部分の動き（折り曲げ）を更に容易にするためにパッキングされる前記部分の縦側縁に沿ってのみ行なわれる。
【０２１８】
第１のシート５１を事前配置するステップは、第１及び／又は第２の部分５２，５４上に配置されて前記制御開口２４を画定するように構成される少なくとも１つの貫通切り欠き６９をシート５１上に形成するステップを少なくとも更に与える。切り欠き６９は、前記部分５２，５４のうちの少なくとも一方の下縁及び／又は上縁でほぼ実行される。また、第１のシート５１を事前配置するステップは、第１及び／又は第２の部分５２，５４上に配置されて凹部２７を画定するように構成される少なくとも１つの貫通溝７５（例えば、図３６〜図３８参照）をシート５１上に形成する少なくとも１つのステップを与える。溝７５は、前記部分５２，５４のうちの少なくとも一方の下縁及び／又は上縁でほぼ得られる。好適には、しかし非限定的な態様で、溝７５は、切り欠き６９が画定される同じシート部分上で、特にこの切り欠きよりも上側で得られる。具体的には、貫通溝７５は、第１のシート５１の第１又は第２の部分５２，５４の少なくとも横縁に画定され、図３６〜図３８において、溝７５は、第２の部分５４の横縁に画定される。貫通溝７５は、略「Ｃ」形状（図３７）又は「Ｕ」形状（図３６）又は「Ｖ」形状を有する開放した輪郭を画定する。好適には、第１のシート５１は、１００〜５００ｇｒ／ｍ２を成す、特に３００〜４００ｇｒ／ｍ２を成す坪量を有する紙材料から全体が形成される。
【０２１９】
また、プロセスは、閉鎖システム７を事前配置するようにする。そのようなステップは、好適には、特に第１のシート５１の第１及び／又は第２の部分５２，５４の端縁で第１のシート５１と一体に結合される少なくとも１つの第２のシート５７を事前配置するようにする（図１１、図３６〜図３８）。第２のシート５７は、互いに一体結合される少なくとも１つの第１の及び／又は１つの第２の部分５８，５９を備える。すなわち、第２のシート５７の第１の部分５８は、前記第１の部分５８が第２のシート５７の第２の部分５９と第１のシート５１との間に介挿されるように第１のシート５１に接続される。添付の図は、第１のシート５１と係合されてこの第１のシート５１に対して反対側に配置される２つの第２のシート５７を事前配置するようにする本発明の好ましいが非限定的な形態を示す。第２のシート５７は、例えば、第１のシート５１の部分５２の上縁５２ｄ及び／又は下縁５２ａに直接に接続される。図１１、図１６、図１８、及び、図３６は、非限定的な態様で、部分５２の下縁５２ａ及び上縁５２ｄに２つのシート５７をそれぞれ形成するようにする実施形態を示す。図２３及び図３６は、第２のシート５７が部分５２の上縁５２ｄに直接に接続される一方で、第２のシート５７が第２の部分５４の下縁５４ａに直接に接続される別の実施形態を示す。好適には、第２のシート５７は、１つのシートのみを画定するように第１のシートに一体的に結合され、特に、第２のシート５７も、紙材料から、特に第１のシート５１とほぼ同じ特性を有する紙材料シートから形成される。
【０２２０】
第２のシート５７を事前配置するステップは、閉鎖システム７の貫通開口２６を画定できる貫通切り欠き７４（図３６〜図３８）を第２のシート５７上に形成する少なくとも１つのステップを更に与えることができる。貫通切り欠き７４を第２のシート５７の第１及び／又は第２の部分５８，５９に画定することができ、本発明の好ましいが非限定的な実施形態において、切り欠き７４は、単一の閉じられた輪郭の切り欠きを画定するために途切れることなく一部が第２のシート５７の第１の部分５８に一部が第２の部分５９に画定される。更に一層とりわけ、貫通切り欠き７４は、以下の形状、すなわち、正方形、長方形、ダイヤモンド、円形、楕円形、半円形、三角形のグループ内で選択される少なくとも１つの形状を有する閉じられた周囲輪郭を画定する。添付の図は、切り欠きが長方形形状を有する本発明の非限定的な実施形態を示す。好適には、第２のシート５７は、１００〜５００ｇｒ／ｍ２を成す、特に３００〜４００ｇｒ／ｍ２を成す坪量を有する。
【０２２１】
また、プロセスは、閉鎖システム７の閉鎖部９及び挿入部１０をそれぞれ形成するために第２のシート５７の第１及び第２の部分５８，５９を折り曲げるステップを与える。閉鎖システム７を事前配置するステップは、第１のシート５１の１つの中央接続部分及び／又は外側接続部分に対して少なくとも接続されて第２のシート５７が表出する同じ側からこの第１のシートから表出する少なくとも１つの部分６１を有する少なくとも１つの第３のシート６０を事前配置するサブステップを更に与える。好適には、第３のシートは、第１のシート５１に一体的に結合される４つの部分６１を備える。２つの部分６１は、中央部分５３に接続されるとともに、この中央部分からそれぞれの端縁に沿って互いに反対側で表出する（第２のシート５７が表出する同じ側から第１のシート５１から表出する）。
【０２２２】
２つの更なる部分６１は、縦接続部分５５又は５６に接続されるとともに（図１１は、非限定的な態様で、更なる２つの部分６１が部分５６によって支持される形態を示す）、この縦接続部分からそれぞれの端縁に沿って互いに反対側で表出する（第２のシート５７が表出する同じ側から第１のシート５１から表出する）。各部分６１は、平坦なシート材料、特に紙シート材料から形成されるとともに、略正方形又は台形の形状を有する。好適には、第３のシート６０も、紙材料、特に第１及び第２のシート５１，５７とほぼ同じ特性を有する紙材料シートから形成される。好適には、第３のシート６０は、１００〜５００ｇｒ／ｍ２を成す、特に３００〜４００ｇｒ／ｍ２を成す坪量を有する。更に、プロセスは、容器１の当接部１１を形成するために第３のシート６０の部分６１をストアの内容積部の方へ向けて折り曲げるステップを備える。
【０２２３】
好適には、まず、プロセスは、ストア２を画定するために第１のシート５１を折り曲げるようにし、その後、当接部１１を画定するために第３のシート６０が折り曲げられる。第３のシート６０の折り曲げの後或いは第３のシート６０の折り曲げと同時に、第２のシート５７が前記閉鎖部９及び挿入部１０を画定するように折り曲げられる。
【０２２４】
更に、プロセスは、第２のシート５７の第２の部分５９に対して及び／又は第３のシート６０の部分６１に対して一体的に結合される少なくとも１つの部分６３を備える第４のシート６２を事前配置するサブステップを少なくとも与える安全装置１２を事前配置するようにする。第４のシート６２の部分６３も、シート材料、特に紙シート材料から形成されるとともに、第１のシート５１に対して反対側で第２及び／又は第３のシート５７，６０から縦方向で表出する。すなわち、第４のシート６２の部分６３は、容器１の第１の結合部１３を画定するように構成される。添付の図は、非限定的な態様で、第２のシート５７の第２の部分５９に直接に接続される（第２の部分５９から離れるように表出する）第４のシート６２の形態を示す。しかしながら、第１のシート５１から離れるように第３のシート６０から表出する第４のシート６２を形成する（この形態は添付の図に示されない）可能性は排除されない。
【０２２５】
より具体的には、第４のシート６２の部分６３を形成するステップは、少なくとも以下のサブステップ、すなわち、
・第２のシート５７の第２の部分５９の延長部分として、第２のシート５７と略平行な平坦なシートを形成するサブステップであって、延長シートが第２のシート５７の第１の部分５９とは反対側で第２の部分５９から表出するサブステップと、
・容器１の第１の結合部１３を画定できる少なくとも１つのアンダーカット７１を形成するサブステップと、
を与える。
【０２２６】
アンダーカット７１は、実質的に、第１の結合部１３のアンダーカット２０を画定するように構成される座部を第４のシートに画定する。好適には、延長部分を形成するステップは、第１の結合部１３のそれぞれのアンダーカット２０を画定するように構成される少なくとも２つのアンダーカット７１を第４のシート６２それ自体に対して互いに反対側に形成するようにする。前述したように、第４のシート６２も、紙材料、特に第１、第２、及び、第３のシート５１，５７，６０とほぼ同じ特性を有する紙材料シートから形成される。好適には、第４のシート６２は、１００〜５００ｇｒ／ｍ２を成す、特に３００〜４００ｇｒ／ｍ２を成す坪量を有する。
【０２２７】
安全装置１２を事前配置するステップは、第１のシート５１に一体結合される部分６５を少なくとも備える第５のシート６４を事前配置するサブステップを少なくとも更に与える。図１１、図１８、及び、図３７に示される本発明の非限定的な態様において、第５のシート６４は、部分５５の傍らで第１のシート５１から横方向に表出する。すなわち、この部分５５は、第５のシート６４と第１のシート５１の部分５２との間に介挿される。そのような形態において、プロセスは、ストア２を形成するステップ中、縦部分５５の折り曲げの直後に前記第２の結合部１４を画定するために第５のシート６４の部分６５を折り曲げるようにする。すなわち、そのようにして、部分５３，５４，５６を折り曲げた後、第５のシート６４がストア２の内側に配置される。更なる形態が例えば図２３に示され、この形態において、第５のシート６４は、第１のシート５１の第１の部分５２及び／又は第１のシート５１の第２の部分５４に接続されて該部分から離れるように表出する。そのような形態において、前記第２の結合部１４を画定するために第５のシート６４の部分６５を折り曲げるステップは、ストア２を形成するステップの前、ステップ中、又は、ステップの後に行なわれ得る。第５のシート６４のいずれの形態においても、部分６５を折り曲げるステップの後、この部分は、前記結合部１４を画定するためにストアの内容積部３内に配置するように構成される。
【０２２８】
第５のシート６４の部分６５もシート材料、特に紙シート材料から形成される。特に、第５のシート６４の部分６５を形成するステップは、少なくとも以下のサブステップ、すなわち、
・第１のシート５１の延長部分として第２のシート５７と略平行に平坦なシートを形成するサブステップと、
・容器１の第２の結合部１４を画定するようになっている少なくとも１つのアンダーカット７０を前記シートに形成するサブステップと
を与える。
【０２２９】
アンダーカット７０は、第４のシート６２のアンダーカット７１を受けることができる座部（例えば図１１参照）を実質的に画定し、アンダーカット７０は、事実上、第２の結合部１４のアンダーカット１６を画定するように構成される。好適には、延長部分を形成するステップは、第２の結合部１４のそれぞれのアンダーカット１６を画定するように構成される少なくとも２つのアンダーカット７０を互いに反対側に形成するようにする。前述のように、第５のシート６４も、紙材料、特に第４のシート６２とほぼ同じ特性を少なくとも有する紙材料シートから形成される。好適には、第５のシート６４は、１００〜５００ｇｒ／ｍ２を成す、特に３００〜４００ｇｒ／ｍ２を成す坪量を有する。本発明の好ましいが非限定的な実施形態において、第１、第２、第３、第４、及び、第５のシート５１，５７，６０，６２，６４は、単一のブランクシート５０を形成するように一体に結合され（この状態が図１１、図１６、図２３に示される）、ブランクシート５０は、少なくとも部分的に、特に全体的に、紙材料から形成され、随意的に、ブランクシート５０は、１００〜５００ｇｒ／ｍ２を成す、特に３００〜４００ｇｒ／ｍ２を成す坪量を有する。
【０２３０】
プロセスは、第４及び第５のシート６２，６４の部分６３及び／又は６５にそれぞれ、脆弱ライン６７によって前記部分６３，６５に一体結合される少なくとも１つの更なる部分６６を形成するステップを更に与える。すなわち、更なる部分６６は、アンダーカット７０及び／又は７１を画定するとともに、容器１の除去可能部１５を画定するように構成される。更なる部分６６を形成するこのステップは、実質的に、第４及び／又は第５のシート６２，６４をパッキングして及び／又は切り欠いて、このシート上に、シートの本体から分離できる（引き裂くことができる）シートの部分を画定できる脆弱ライン６７（例えば、図１１参照）を形成するサブステップを与える。添付の図は本発明の非限定的な形態を示し、この形態において、更なる部分６６は、パッキング及び／又は切り欠きステップ及び後続のシート折り曲げステップの終わりに容器１を示す添付の図に示されるように第２の結合部１４によって除去可能部１５が支持されるように第４のシート６２によって支持される。しかしながら、前述したように、除去可能部１５は、第１の結合部１３によって或いは両方の結合部１３，１４によって支持され得る。除去可能部１５を結合部１３に画定するために、プロセスは、更なる部分６６を部分６３に画定（一体結合）できるように第４のシート６２をパッキングする及び／又は切り欠くステップを与えるべきである（この状態は添付の図に示されない）。プロセスは、存在する第２のシート５７と同数、したがって、容器１に設けられる閉鎖システム７と同数の更なる部分６６形成するようにする。図１１、図１６、図２３、図３６〜３８は、本発明の好ましいが非限定的な形態を示し、この形態では、第１の結合部１３を形成するために２つの第２のシート５７にそれぞれ一体結合される２つの第４のシート６２が存在し、したがって、単一の第５のシート６４（図１１及び図１６参照）によって又は２つの第５の別個のシート６４（図２３）によって支持される少なくとも２つの更なる部分６６が存在する。すなわち、部分６６は、第４のシート６２の２つのそれぞれの第１の結合部１３と協働できる２つの除去可能部１５を画定するように構成される。
【０２３１】
安全装置１２を事前配置するステップは、ストア２から及び／又は閉鎖システム７から表出する触覚的に知覚できる突起２５を除去可能部に形成するステップを更に与える。すなわち、除去可能部１５は、突起２５と共に、容器１の不正開封の形跡を与えるために前記最初の閉状態後の閉鎖システム７の最初の開状態後に安全装置１２から分離するように構成される。より具体的には、更なる部分６６を事前配置するステップは、（第４及び／又は第５のシート６２，６４の）更なる部分６６から表出して更なる部分それ自体のアンダーカット７０に対して反対側に配置される少なくとも１つの膨出部７３を形成するようにする。膨出部７３は除去可能部１５の突起２５を画定できる。すなわち、除去可能部の突起２５は、容器１の最初の閉状態後に、ストア２の自由縁６から及び／又は閉鎖システム７から内容積部３の外側に表出する。事実上、膨出部７３は、アンダーカット７０から距離が隔てられて、アンダーカット７０とは反対側にあり、それにより、第５のシートをストア２の内側に折り曲げるステップの後、アンダーカットが内容積部３内に完全に収容される一方で、突起が自由縁６及び／又は凹部２７から少なくとも部分的に表出する。事実上、前述したように、突起２５は、把持縁１７から距離が隔てられるとともに除去可能部１５に対して把持縁１７とは反対側に配置される。すなわち、突起２５は、除去可能部１５に対して把持縁１７とは反対側に表出する。
【０２３２】
また、プロセスは、制御部２８を画定するために、更なる部分６６を支持する第４及び／又は第５のシートに、更なる部分６６よりも上側に折り曲げることができるシート材料の付加的部分７６を形成することを備えることができる。事実上、付加的部分７６は、部分６６の延長部分に相当し、部分６６の実質的端部を画定する。例えば図３６において明らかなように、部分６６は、付加的部分７６と第１のシート５１の第２の部分５４との間に介挿され、付加的部分７６は、部分６６と共に部分５４よりも上側に折り曲げることができ、その後、付加的部分７６が再び部分６６よりも上側に折り曲げられ、それにより、制御部２８のキャビティ２９は、容器１の三次元形態で、例えば図４０に示されるように突起の直ぐ背後に配置され得る。
【０２３３】
好適には、シートは、前述のシート５１，５７，６０，６２，６４を備えるブランク５０を画定するためにダイカットされる特に紙材料の単一の平坦なシートから得られる。ダイカットステップは、ブランクの輪郭を画定する以外に、例えば以降で折り曲げがそれに沿って実行されるべきシートの端部接続縁を画定することにより、単一のシートを周囲で境界付けるためにシートをパッキングするように構成される。更に、ダイカットステップは、以下の要素、すなわち、制御開口２４、膨出部７３、切り欠き７４、溝７５、アンダーカット７０及び／又は７１のうちの少なくとも１つを画定するために部分５２，５４を切り欠くことができるようにする。ダイカットステップ中には、同時に、更なる部分６６を形成するための脆弱ライン６７（又は複数の脆弱ライン６７）を画定するために第４及び／又は第５のシートのパッキング及び／又は切り欠きが存在する。実質的に、単一のダイカットステップにより、前述のシート５１，５７，６０，６２，６４の全てを有する完全な平坦ブランク５０を画定することができる。
【０２３４】
更に、プロセスは、図１７に示されるようにコンパクトな形状に配置される容器１を事前配置するステップを与えることができる。特に、単一のブランク５０の形成後、プロセスは、部分５５，５６を結合するために第１のシート５１を折り曲げるステップを与える。その後、第１及び第２の部分５２，５４が近づけられて互いに少なくとも部分的に接触する状態に配置される。そのような状態から、閉鎖システム７が未だ折り曲げられない三次元形状にストア２を配置するためには部分５５，５６を及び中央部分５３も持ち上げれば足りる（この状態が図２及び図３に示される）。そのような状態から、容器１は、いつでも製品を受け入れてその後に初めて閉じられる状態にある。すなわち、容器１の最初の閉鎖中には、部分１３，１４の結合があり、したがって、安全装置１２が「装備され」或いは起動される。２つの別個の貫通開口５が存在する場合、プロセスは、システム７を閉じる（１つの安全装置１２のみを装備する）、製品をストア２内へ挿入する、及び、第２の最後のシステム７を閉じることにより容器１を完全に閉じる（第２の最後の安全装置１２を装備する）ようにすることができる。
【図１】
0006677389.tif 000002
【図２】
0006677389.tif 000003
【図３】
0006677389.tif 000004
【図４】
0006677389.tif 000005
【図５】
0006677389.tif 000006
【図６】
0006677389.tif 000007
【図７】
0006677389.tif 000008
【図８】
0006677389.tif 000009
【図９】
0006677389.tif 000010
【図１０】
0006677389.tif 000011
【図１１】
0006677389.tif 000012
【図１２】
0006677389.tif 000013
【図１３】
0006677389.tif 000014
【図１４】
0006677389.tif 000015
【図１５】
0006677389.tif 000016
【図１６】
0006677389.tif 000017
【図１７】
0006677389.tif 000018
【図１８】
0006677389.tif 000019
【図１９】
0006677389.tif 000020
【図２０】
0006677389.tif 000021
【図２１】
0006677389.tif 000022
【図２２】
0006677389.tif 000023
【図２３】
0006677389.tif 000024
【図２４】
0006677389.tif 000025
【図２５】
0006677389.tif 000026
【図２６】
0006677389.tif 000027
【図２７】
0006677389.tif 000028
【図２８】
0006677389.tif 000029
【図２９】
0006677389.tif 000030
【図３０】
0006677389.tif 000031
【図３１】
0006677389.tif 000032
【図３２】
0006677389.tif 000033
【図３３】
0006677389.tif 000034
【図３４】
0006677389.tif 000035
【図３５】
0006677389.tif 000036
【図３６】
0006677389.tif 000037
【図３７】
0006677389.tif 000038
【図３８】
0006677389.tif 000039
【図３９】
0006677389.tif 000040
【図４０】
0006677389.tif 000041